(57)【要約】【課題】感温式の利用側膨張弁を有する利用側ユニットにおいて液側連絡配管と利用側熱交換器との間に冷媒を任意に流す。【解決手段】利用側ユニット（12）は、利用側熱交換器（51）と膨張弁回路部（52）を有している。膨張弁回路部（52）は、感温式の利用側膨張弁（53）と、利用側膨張弁（53）を経由して利用側熱交換器（51）と液側連絡配管（13）との間に冷媒を流すための主配管（60）と、主配管（60）を迂回して利用側熱交換器（51）と液側連絡配管（13）との間に冷媒を流すためのバイパス配管（70）と、主配管（60）の開閉およびバイパス配管（70）の開閉を切り換える切換機構（54）とを有している。【選択図】図１
2018004150.tif 000002
【特許請求の範囲】
【請求項１】
熱源側熱交換器（23）を有する熱源側ユニット（11）と、
それぞれが利用側熱交換器（51）と膨張弁回路部（52）とを有し、液側連絡配管（13）およびガス側連絡配管（14）を介して上記熱源側ユニット（11）とそれぞれ並列に接続されて冷媒が循環する冷媒回路（15）を構成する複数の利用側ユニット（12）とを備え、
上記膨張弁回路部（52）は、
感温式の利用側膨張弁（53）と、
上記利用側膨張弁（53）を経由して上記利用側熱交換器（51）と上記液側連絡配管（13）との間に冷媒を流すための主配管（60）と、
上記主配管（60）を迂回して上記利用側熱交換器（51）と上記液側連絡配管（13）との間に冷媒を流すためのバイパス配管（70）と、
上記主配管（60）の開閉および上記バイパス配管（70）の開閉を切り換える切換機構（54）とを有している
ことを特徴とする冷凍装置。
【請求項２】
請求項１において、
上記切換機構（54）は、開状態と閉状態とに切り換え可能に構成されて上記バイパス配管（70）に設けられるバイパス開閉弁（71）を有している
ことを特徴とする冷凍装置。
【請求項３】
請求項２において、
上記切換機構（54）は、上記バイパス配管（70）に設けられて上記利用側熱交換器（51）側から上記液側連絡配管（13）側へ向かう冷媒の流れのみを許容するバイパス逆止弁（72）を有している
ことを特徴とする冷凍装置。
【請求項４】
請求項１〜３のいずれか１項において、
上記切換機構（54）は、開状態と閉状態とに切り換え可能に構成されて上記主配管（60）に設けられる利用側開閉弁（61）を有している
ことを特徴とする冷凍装置。
【請求項５】
請求項４において、
上記切換機構（54）は、上記主配管（60）に設けられて上記液側連絡配管（13）側から上記利用側熱交換器（51）側へ向かう冷媒の流れのみを許容する利用側逆止弁（62）を有している
ことを特徴とする冷凍装置。
【請求項６】
請求項１〜３のいずれか１項において、
複数の利用側ユニット（12）の各々は、上記利用側熱交換器（51）のガス端と上記ガス側連絡配管（14）とを接続する利用側ガス冷媒配管（57）を有し、
上記利用側膨張弁（53）は、上記利用側ガス冷媒配管（57）に取り付けられる感温筒（53a）と、均圧管（53b）とを有し、
上記切換機構（54）は、上記利用側膨張弁（53）の均圧管（53b）を上記利用側ガス冷媒配管（57）の中途部に接続する第１接続状態と、該利用側膨張弁（53）の均圧管（53b）を上記主配管（60）における該利用側膨張弁（53）と上記液側連絡配管（13）との間の中途部に接続する第２接続状態とに切り換え可能に構成されている
ことを特徴とする冷凍装置。
【請求項７】
請求項６において、
上記切換機構（54）は、上記主配管（60）に設けられて上記液側連絡配管（13）側から上記利用側熱交換器（51）側へ向かう冷媒の流れのみを許容する利用側逆止弁（62）を有している
ことを特徴とする冷凍装置。
【請求項８】
請求項１〜７のいずれか１項において、
上記複数の利用側ユニット（12）の利用側熱交換器（51）が凝縮器となり上記熱源側熱交換器（23）が蒸発器となるように上記冷媒回路（15）において冷媒が循環する除霜運転が開始されると、該複数の利用側ユニット（12）の各々において上記主配管（60）が閉状態となり上記バイパス配管（70）が開状態となるように上記切換機構（54）を制御する制御部（80）を備えている
ことを特徴とする冷凍装置。
【請求項９】
請求項８において、
上記制御部（80）は、上記除霜運転の開始後に上記複数の利用側ユニット（12）のいずれかにおいて上記利用側熱交換器（51）の除霜が完了すると、該利用側熱交換器（51）の除霜が完了した利用側ユニット（12）において上記バイパス配管（70）が開状態から閉状態に切り換わるように上記切換機構（54）を制御する
ことを特徴とする冷凍装置。
【請求項１０】
請求項９において、
上記制御部（80）は、上記複数の利用側ユニット（12）のうち上記利用側熱交換器（51）の除霜が完了していない利用側ユニット（12）において上記バイパス配管（70）が開状態に維持されるように上記切換機構（54）を制御する一方で、該利用側熱交換器（51）の除霜が完了している利用側ユニット（12）において該バイパス配管（70）が間欠的に開状態となるように該切換機構（54）を制御する
ことを特徴とする冷凍装置。
【発明の詳細な説明】
【技術分野】
【０００１】
この発明は、冷凍装置に関する。
【背景技術】
【０００２】
従来、冷凍サイクルを利用して冷凍装置が知られている。このような冷凍装置は、冷蔵庫や冷凍庫の庫内の冷却や、室内の空調などに広く利用されている。例えば、特許文献１には、庫外ユニットと庫内ユニットとが液側連絡配管とガス側連絡配管とによって接続された冷凍装置が開示されている。庫外ユニットには、圧縮機と熱源側熱交換器とが設けられ、庫内ユニットには、利用側熱交換器と利用側膨張弁とが設けられ、これらが接続されて冷媒回路が構成されている。そして、特許文献１の冷凍装置では、冷却運転と除霜運転とが行われる。冷却運転では、利用側膨張弁の開度が調節され、熱源側熱交換器から流出した冷媒が利用側膨張弁において減圧され、その後、利用側熱交換器において庫内空気から吸熱して蒸発する。これにより、庫内が冷却される。一方、除霜運転では、利用側膨張弁の開度が全開状態に設定され、圧縮機から吐出された冷媒が全開状態の利用側膨張弁を通過し、その後、利用側熱交換器で放熱して凝縮する。これにより、利用側熱交換器が除霜される。なお、利用側膨張弁は、電子膨張弁によって構成されており、コントローラによって開度が調節される。
【先行技術文献】
【特許文献】
【０００３】
【特許文献１】特開２００９-２８７８００号公報
【発明の概要】
【発明が解決しようとする課題】
【０００４】
ところで、特許文献１の冷凍装置において、利用側膨張弁を感温筒を有する感温式膨張弁（温度自動膨張弁）によって構成することが考えられる。しかしながら、利用側膨張弁を感温式膨張弁によって構成した場合、利用側膨張弁の開度が感温筒の温度に応じて変化することになるので、利用側膨張弁の開度を任意に調節することができない。そのため、利用側ユニット（庫内ユニット）では、液側連絡配管と利用側熱交換器との間に冷媒を任意に流すことができなくなってしまう。例えば、除霜運転において、ガス側連絡配管から利用側熱交換器を経由して液側連絡配管に至る冷媒の流路を確保することができなくなるので、ガス側連絡配管から供給された冷媒（高温高圧の冷媒）を用いて利用側熱交換器の除霜を行うことができなくなる。
【０００５】
そこで、この発明は、感温式の利用側膨張弁を有する利用側ユニットにおいて液側連絡配管と利用側熱交換器との間に冷媒を任意に流すことが可能な冷凍装置を提供することを目的とする。
【課題を解決するための手段】
【０００６】
第１の発明は、熱源側熱交換器（23）を有する熱源側ユニット（11）と、それぞれが利用側熱交換器（51）と膨張弁回路部（52）とを有し、液側連絡配管（13）およびガス側連絡配管（14）を介して上記熱源側ユニット（11）とそれぞれ並列に接続されて冷媒が循環する冷媒回路（15）を構成する複数の利用側ユニット（12）とを備え、上記膨張弁回路部（52）は、感温式の利用側膨張弁（53）と、上記利用側膨張弁（53）を経由して上記利用側熱交換器（51）と上記液側連絡配管（13）との間に冷媒を流すための主配管（60）と、上記主配管（60）を迂回して上記利用側熱交換器（51）と上記液側連絡配管（13）との間に冷媒を流すためのバイパス配管（70）と、上記主配管（60）の開閉および上記バイパス配管（70）の開閉を切り換える切換機構（54）とを有していることを特徴とする冷凍装置である。
【０００７】
上記第１の発明では、主配管（60）を開状態にすることにより、感温式の利用側膨張弁（53）を経由して液側連絡配管（13）と利用側熱交換器（51）との間に冷媒を流すことができる。また、バイパス配管（70）を開状態にすることにより、感温式の利用側膨張弁（53）を迂回して液側連絡配管（13）と利用側熱交換器（51）との間に冷媒を流すことができる。すなわち、利用側膨張弁（53）を経由して冷媒を流すことができない場合であっても、バイパス配管（70）を開状態に設定することによって液側連絡配管（13）と利用側熱交換器（51）との間に冷媒を流すことができる。
【０００８】
第２の発明は、上記第１の発明において、上記切換機構（54）は、開状態と閉状態とに切り換え可能に構成されて上記バイパス配管（70）に設けられるバイパス開閉弁（71）を有していることを特徴とする冷凍装置である。
【０００９】
上記第２の発明では、バイパス開閉弁（71）を開状態に設定することにより、バイパス配管（70）を開状態に設定することができ、バイパス開閉弁（71）を閉状態に設定することにより、バイパス配管（70）を閉状態にすることができる。
【００１０】
第３の発明は、上記第２の発明において、上記切換機構（54）は、上記バイパス配管（70）に設けられて上記利用側熱交換器（51）側から上記液側連絡配管（13）側へ向かう冷媒の流れのみを許容するバイパス逆止弁（72）を有していることを特徴とする冷凍装置である。
【００１１】
上記第３の発明では、バイパス配管（70）において液側連絡配管（13）側から利用側熱交換器（51）側への冷媒の流れを阻止することができる。これにより、液側連絡配管（13）から開状態の主配管（60）を経由して利用側熱交換器（51）に冷媒を流す場合に、バイパス配管（70）を経由した冷媒の漏れ（すなわち、液側連絡配管（13）からバイパス配管（70）を経由して利用側熱交換器（51）に冷媒が流れてしまうこと）を防止することができる。
【００１２】
第４の発明は、上記第１〜第３の発明のいずれか１つにおいて、上記切換機構（54）は、開状態と閉状態とに切り換え可能に構成されて上記主配管（60）に設けられる利用側開閉弁（61）を有していることを特徴とする冷凍装置である。
【００１３】
上記第４の発明では、利用側開閉弁（61）を開状態に設定することにより、主配管（60）を開状態に設定することができ、利用側開閉弁（61）を閉状態に設定することにより、主配管（60）を閉状態にすることができる。
【００１４】
第５の発明は、上記第４の発明において、上記切換機構（54）は、上記主配管（60）に設けられて上記液側連絡配管（13）側から上記利用側熱交換器（51）側へ向かう冷媒の流れのみを許容する利用側逆止弁（62）を有していることを特徴とする冷凍装置である。
【００１５】
上記第５の発明では、主配管（60）において利用側熱交換器（51）側から液側連絡配管（13）側への冷媒の流れを阻止することができる。これにより、利用側熱交換器（51）から開状態のバイパス配管（70）を経由して液側連絡配管（13）に冷媒を流す場合に、主配管（60）を経由した冷媒の漏れ（すなわち、利用側熱交換器（51）から主配管（60）を経由して液側連絡配管（13）に冷媒が流れてしまうこと）を防止することができる。
【００１６】
第６の発明は、上記第１〜第３の発明のいずれか１つにおいて、複数の利用側ユニット（12）の各々は、上記利用側熱交換器（51）のガス端と上記ガス側連絡配管（14）とを接続する利用側ガス冷媒配管（57）を有し、上記利用側膨張弁（53）は、上記利用側ガス冷媒配管（57）に取り付けられる感温筒（53a）と、均圧管（53b）とを有し、上記切換機構（54）は、上記利用側膨張弁（53）の均圧管（53b）を上記利用側ガス冷媒配管（57）の中途部に接続する第１接続状態と、該利用側膨張弁（53）の均圧管（53b）を上記主配管（60）における該利用側膨張弁（53）と上記液側連絡配管（13）との間の中途部に接続する第２接続状態とに切り換え可能に構成されていることを特徴とする冷凍装置である。
【００１７】
上記第６の発明では、熱源側熱交換器（23）が凝縮器となり利用側熱交換器（51）が蒸発器となるように冷媒を循環させる冷凍運転の場合（すなわち、液側連絡配管（13）から利用側熱交換器（51）を経由してガス側連絡配管（14）へ向けて冷媒を流そうとする場合）に、切換機構（54）を第１接続状態に設定することにより、利用側膨張弁（53）を開状態に設定して主配管（60）を開状態にすることができる。また、切換機構（54）を第２接続状態に設定することにより、利用側膨張弁（53）を閉状態に設定して主配管（60）を閉状態に設定することができる。
【００１８】
第７の発明は、上記第６の発明において、上記切換機構（54）は、上記主配管（60）に設けられて上記液側連絡配管（13）側から上記利用側熱交換器（51）側へ向かう冷媒の流れのみを許容する利用側逆止弁（62）を有していることを特徴とする冷凍装置である。
【００１９】
上記第７の発明では、主配管（60）において利用側熱交換器（51）側から液側連絡配管（13）側への冷媒の流れを阻止することができる。これにより、利用側熱交換器（51）から開状態のバイパス配管（70）を経由して液側連絡配管（13）に冷媒を流す場合に、主配管（60）を経由した冷媒の漏れ（すなわち、利用側熱交換器（51）から主配管（60）を経由して液側連絡配管（13）に冷媒が流れてしまうこと）を防止することができる。
【００２０】
第８の発明は、上記第１〜第７の発明のいずれか１つにおいて、上記複数の利用側ユニット（12）の利用側熱交換器（51）が凝縮器となり上記熱源側熱交換器（23）が蒸発器となるように上記冷媒回路（15）において冷媒が循環する除霜運転が開始されると、該複数の利用側ユニット（12）の各々において上記主配管（60）が閉状態となり上記バイパス配管（70）が開状態となるように上記切換機構（54）を制御する制御部（80）を備えていることを特徴とする冷凍装置である。
【００２１】
上記第８の発明では、除霜運転を開始する場合に主配管（60）を閉状態にしてバイパス配管（70）を開状態にすることにより、ガス側連絡配管（14）から利用側熱交換器（51）とバイパス配管（70）とを順に経由して液側連絡配管（13）に至る冷媒の流路を確保することができる。これにより、ガス側連絡配管（14）から利用側熱交換器（51）に冷媒（高温高圧の冷媒）を供給することができる。
【００２２】
第９の発明は、上記第８の発明において、上記制御部（80）は、上記除霜運転の開始後に上記複数の利用側ユニット（12）のいずれかにおいて上記利用側熱交換器（51）の除霜が完了すると、該利用側熱交換器（51）の除霜が完了した利用側ユニット（12）において上記バイパス配管（70）が開状態から閉状態に切り換わるように上記切換機構（54）を制御することを特徴とする冷凍装置である。
【００２３】
上記第９の発明では、利用側熱交換器（51）の除霜が完了した利用側ユニット（12）においてガス側連絡配管（14）から利用側熱交換器（51）への冷媒（高温高圧の冷媒）の供給を阻止することができる。これにより、利用側熱交換器（51）の除霜が完了していない利用側ユニット（12）においてガス側連絡配管（14）から利用側熱交換器（51）への冷媒（高温高圧の冷媒）の供給を促進させることができる。
【００２４】
第１０の発明は、上記第９の発明において、上記制御部（80）は、上記複数の利用側ユニット（12）のうち上記利用側熱交換器（51）の除霜が完了していない利用側ユニット（12）において上記バイパス配管（70）が開状態に維持されるように上記切換機構（54）を制御する一方で、該利用側熱交換器（51）の除霜が完了している利用側ユニット（12）において該バイパス配管（70）が間欠的に開状態となるように該切換機構（54）を制御することを特徴とする冷凍装置である。
【００２５】
上記第１０の発明では、利用側熱交換器（51）の除霜が完了している利用側ユニット（12）においてバイパス配管（70）を間欠的に開状態にすることにより、利用側熱交換器（51）の除霜が完了している利用側ユニット（12）において利用側熱交換器（51）内の冷媒をバイパス配管（70）を経由して液側連絡配管（13）に間欠的に放出することができる。
【発明の効果】
【００２６】
第１の発明によれば、利用側膨張弁（53）を経由して冷媒を流すことができない場合であっても、バイパス配管（70）を開状態に設定することによって液側連絡配管（13）と利用側熱交換器（51）との間に冷媒を流すことができるので、利用側ユニット（12）において液側連絡配管（13）と利用側熱交換器（51）との間に冷媒を任意に流すことができる。
【００２７】
第２の発明によれば、バイパス開閉弁（71）の開閉を切り換えることによってバイパス配管（70）の開閉を切り換えることができる。
【００２８】
第３の発明によれば、液側連絡配管（13）から開状態の主配管（60）を経由して利用側熱交換器（51）に冷媒を流す場合に、バイパス配管（70）を経由した冷媒の漏れを防止することができるので、主配管（60）を流れる冷媒の流量を確保することができる。
【００２９】
第４の発明によれば、利用側開閉弁（61）の開閉を切り換えることによって主配管（60）の開閉を切り換えることができる。
【００３０】
第５の発明によれば、利用側熱交換器（51）から開状態のバイパス配管（70）を経由して液側連絡配管（13）に冷媒を流す場合に、主配管（60）を経由した冷媒の漏れを防止することができるので、バイパス配管（70）を流れる冷媒の流量を確保することができる。
【００３１】
第６の発明によれば、切換機構（54）の接続状態を切り換えることにより、主配管（60）の開閉を切り換えることができる。
【００３２】
第７の発明によれば、利用側熱交換器（51）から開状態のバイパス配管（70）を経由して液側連絡配管（13）に冷媒を流す場合に、主配管（60）を経由した冷媒の漏れを防止することができるので、バイパス配管（70）を流れる冷媒の流量を確保することができる。
【００３３】
第８の発明によれば、除霜運転において、ガス側連絡配管（14）から利用側熱交換器（51）に冷媒（高温高圧の冷媒）を供給することができるので、高温高圧の冷媒を用いて利用側熱交換器（51）の除霜を行うことができる。
【００３４】
第９の発明によれば、利用側熱交換器（51）の除霜が完了していない利用側ユニット（12）においてガス側連絡配管（14）から利用側熱交換器（51）への冷媒（高温高圧の冷媒）の供給を促進させることができるので、利用側熱交換器（51）の除霜が完了していない利用側ユニット（12）において利用側熱交換器（51）の除霜を促進させることができる。
【００３５】
第１０の発明によれば、利用側熱交換器（51）の除霜が完了している利用側ユニット（12）において利用側熱交換器（51）内の冷媒をバイパス配管（70）を経由して液側連絡配管（13）に間欠的に放出することができるので、利用側熱交換器（51）の除霜が完了している利用側ユニット（12）において利用側熱交換器（51）内に冷媒が溜まり込むことを防止することができる。
【図面の簡単な説明】
【００３６】
【図１】図１は、実施形態による冷凍装置の構成例を示した配管系統図である。
【図２】図２は、図１に示した冷凍装置における冷却運転について説明するための配管系統図である。
【図３】図３は、図１に示した冷凍装置における除霜運転について説明するための配管系統図である。
【図４】図４は、利用側ユニットの変形例を示した配管系統図である。
【図５】図５は、図４に示した利用側ユニットを備えた冷凍装置における冷却運転について説明するための配管系統図である。
【図６】図６は、図４に示した利用側ユニットを備えた冷凍装置における除霜運転について説明するための配管系統図である。
【発明を実施するための形態】
【００３７】
以下、実施の形態を図面を参照して詳しく説明する。なお、図中同一または相当部分には同一の符号を付しその説明は繰り返さない。
【００３８】
（冷凍装置）
図１は、実施形態による冷凍装置（10）の構成例を示している。冷凍装置（10）は、庫外に設けられる熱源側ユニット（11）と、冷蔵庫や冷凍庫などの庫内に設けられる複数（この例では２つ）の利用側ユニット（12）と、コントローラ（80）とを備えている。熱源側ユニット（11）には、熱源側回路（16）と熱源側ファン（17）とが設けられ、各利用側ユニット（12）には、利用側回路（18）と利用側ファン（19）とが設けられている。この冷凍装置（10）では、熱源側ユニット（11）の熱源側回路（16）と複数の利用側ユニット（12）の利用側回路（18）とが液側連絡配管（13）およびガス側連絡配管（14）によって接続されて、冷媒が循環して蒸気圧縮式の冷凍サイクルが行われる冷媒回路（15）が構成されている。具体的には、熱源側回路（16）の液端およびガス端に液閉鎖弁（V1）およびガス閉鎖弁（V2）がそれぞれ設けられ、液閉鎖弁（V1）およびガス閉鎖弁（V2）に液側連絡配管（13）の一端およびガス側連絡配管（14）の一端がそれぞれ接続され、液側連絡配管（13）およびガス側連絡配管（14）に各利用側回路（18）の液端およびガス端がそれぞれ接続されている。すなわち、複数の利用側ユニット（12）は、液側連絡配管（13）およびガス側連絡配管（14）を介して熱源側ユニット（11）とそれぞれ並列に接続されて、冷媒が循環する冷媒回路（15）を構成している。
【００３９】
〈熱源側回路〉
熱源側回路（16）は、第１および第２圧縮機（21a,21b）と、四方切換弁（22）と、熱源側熱交換器（23）と、過冷却熱交換器（24）と、過冷却膨張弁（31）と、中間膨張弁（32）と、中間開閉弁（33）と、中間逆止弁（34）と、レシーバ（35）と、熱源側膨張弁（36）と、第１，第２，第３逆止弁（CV1,CV2,CV3）と、第１および第２油分離器（OSa,OSb）と、第１および第２吐出逆止弁（CVa,CVb）と、第１および第２キャピラリチューブ（CTa,CTb）と、油分離逆止弁（CVc）とを有している。
【００４０】
また、熱源側回路（16）には、吐出冷媒配管（41）と、吸入冷媒配管（42）と、熱源側液冷媒配管（43）と、インジェクション配管（44）と、第１および第２接続配管（45,46）と、油戻し配管（47）とが設けられている。
【００４１】
《圧縮機》
第１圧縮機（21a）は、吸入した冷媒を圧縮して吐出するように構成されている。また、第１圧縮機（21a）には、吸入ポートと、中間ポートと、吐出ポートとが設けられている。吸入ポートは、第１圧縮機（21a）の吸入行程において圧縮室（すなわち、低圧の圧縮室）と連通するように形成されている。中間ポートは、第１圧縮機（21a）の圧縮行程の途中において圧縮室（すなわち、中間圧の圧縮室）と連通するように形成されている。吐出ポートは、第１圧縮機（21a）の吐出行程において圧縮室（すなわち、高圧の圧縮室）と連通するように構成されている。例えば、第１圧縮機（21a）は、互いに歯合する固定スクロールおよび可動スクロールの間に圧縮室が構成されるスクロール式の圧縮機によって構成されている。第２圧縮機（21b）は、第１圧縮機（21a）の構成と同様の構成を有している。
【００４２】
なお、第１圧縮機（21a）は、その運転周波数（容量）が可変に構成されている。すなわち、第１圧縮機（21a）は、インバータ（図示を省略）の出力周波数を変化させることで、その内部に設けられた電動機の回転数が変化し、その運転周波数が変化するように構成されている。一方、第２圧縮機（21b）は、その運転周波数（容量）が固定されている。すなわち、第２圧縮機（21b）は、その内部に設けられた電動機の回転数が一定であり、その運転周波数が一定となっている。
【００４３】
《四方切換弁》
四方切換弁（22）は、第１ポートと第３ポートとが連通し且つ第２ポートと第４ポートとが連通する第１状態（図１の実線で示された状態）と、第１ポートと第４ポートとが連通し且つ第２ポートと第３ポートとが連通する第２状態（図１の破線で示された状態）とに切り換え可能に構成されている。
【００４４】
四方切換弁（22）の第１ポートは、吐出冷媒配管（41）によって第１および第２圧縮機（21a,21b）の吐出ポートに接続され、四方切換弁（22）の第２ポートは、吸入冷媒配管（42）によって第１および第２圧縮機（21a,21b）の吸入ポートに接続されている。四方切換弁（22）の第３ポートは、熱源側熱交換器（23）のガス端に接続され、四方切換弁（22）の第４ポートは、ガス閉鎖弁（V2）に接続されている。
【００４５】
《吐出冷媒配管》
吐出冷媒配管（41）は、一端が第１および第２圧縮機（21a,21b）の吐出ポートに接続される第１および第２吐出管（41a,41b）と、第１および第２吐出管（41a,41b）の他端と四方切換弁（22）の第１ポートとを接続する吐出主管（41c）とによって構成されている。
【００４６】
《吸入冷媒配管》
吸入冷媒配管（42）は、一端が第１および第２圧縮機（21a,21b）の吸入ポートにそれぞれ接続される第１および第２吸入管（42a,42b）と、第１および第２吸入管（42a,42b）の他端と四方切換弁（22）の第２ポートとを接続する吸入主管（42c）とによって構成されている。
【００４７】
《熱源側熱交換器》
熱源側熱交換器（23）は、その液端が熱源側液冷媒配管（43）の一端に接続され、そのガス端が四方切換弁（22）の第３ポートに接続されている。また、熱源側熱交換器（23）の近傍には、熱源側ファン（17）が配置されている。そして、熱源側熱交換器（23）は、冷媒と熱源側ファン（17）によって搬送された熱源側空気（すなわち、庫外空気）とを熱交換させるように構成されている。例えば、熱源側熱交換器（23）は、クロスフィン式のフィン・アンド・チューブ型熱交換器によって構成されている。
【００４８】
《熱源側液冷媒配管》
熱源側液冷媒配管（43）は、その一端が熱源側熱交換器（23）に接続され、その他端が液閉鎖弁（V1）に接続されている。この例では、熱源側液冷媒配管（43）は、熱源側熱交換器（23）の液端とレシーバ（35）とを接続する第１熱源側液管（43a）と、レシーバ（35）と過冷却熱交換器（24）とを接続する第２熱源側液管（43b）と、過冷却熱交換器（24）と液閉鎖弁（V1）とを接続する第３熱源側液管（43c）とによって構成されている。
【００４９】
《インジェクション配管》
インジェクション配管（44）は、熱源側液冷媒配管（43）の第１中途部（Q1）と第１および第２圧縮機（21a,21b）の中間ポートとを接続している。この例では、インジェクション配管（44）は、熱源側液冷媒配管（43）の第１中途部（Q1）と過冷却熱交換器（24）とを接続する第１インジェクション主管（44m）と、一端が過冷却熱交換器（24）に接続される第２インジェクション主管（44n）と、第２インジェクション主管（44n）の他端と第１および第２圧縮機（21a,21b）の中間ポートとをそれぞれ接続する第１および第２インジェクション分岐管（44a,44b）とによって構成されている。
【００５０】
《過冷却熱交換器》
過冷却熱交換器（24）は、熱源側液冷媒配管（43）とインジェクション配管（44）とに接続され、熱源側液冷媒配管（43）を流れる冷媒とインジェクション配管（44）を流れる冷媒とを熱交換させるように構成されている。この例では、過冷却熱交換器（24）は、第２熱源側液管（43b）と第３熱源側液管（43c）との間に接続される第１流路（24a）と、第１インジェクション主管（44m）と第２インジェクション主管（44n）との間に接続される第２流路（24b）とを有し、第１流路（24a）を流れる冷媒と第２流路（24b）を流れる冷媒とを熱交換させるように構成されている。例えば、過冷却熱交換器（24）は、プレート型熱交換器によって構成されている。
【００５１】
《過冷却膨張弁》
過冷却膨張弁（31）は、インジェクション配管（44）において熱源側液冷媒配管（43）の第１中途部（Q1）と過冷却熱交換器（24）との間（この例では、第１インジェクション主管（44m））に設けられている。また、過冷却膨張弁（31）は、その開度を調節可能に構成されている。例えば、過冷却膨張弁（31）は、電子膨張弁（電動弁）によって構成されている。
【００５２】
《中間膨張弁》
中間膨張弁（32）は、インジェクション配管（44）において過冷却熱交換器（24）と第１圧縮機（21a）の中間ポートとの間（この例では、第１インジェクション分岐管（44a））に設けられている。また、中間膨張弁（32）は、その開度を調節可能に構成されている。例えば、中間膨張弁（32）は、電子膨張弁（電動弁）によって構成されている。
【００５３】
《中間開閉弁と中間逆止弁》
中間開閉弁（33）および中間逆止弁（34）は、インジェクション配管（44）において過冷却熱交換器（24）と第２圧縮機（21b）の中間ポートとの間（この例では、第２インジェクション分岐管（44b））に設けられている。第２インジェクション分岐管（44b）では、第２インジェクション分岐管（44b）の入口側から出口側へ向けて中間開閉弁（33）と中間逆止弁（34）とが順に配置されている。
【００５４】
中間開閉弁（33）は、その開閉を切り換え可能に構成されている。例えば、中間開閉弁（33）は、電磁弁によって構成されている。中間逆止弁（34）は、第２インジェクション分岐管（44b）の入口側から出口側へ向かう冷媒の流れを許容し、その逆方向の冷媒の流れを阻止するように構成されている。
【００５５】
《レシーバ》
レシーバ（35）は、熱源側液冷媒配管（43）において熱源側熱交換器（23）と過冷却熱交換器（24）との間に接続され、凝縮器（具体的には、熱源側熱交換器（23）または後述の利用側熱交換器（51））において凝縮した冷媒を一時的に貯留することができるように構成されている。この例では、レシーバ（35）は、その入口に第１熱源側液管（43a）が接続され、その出口に第２熱源側液管（43b）が接続されている。
【００５６】
《第１接続配管》
第１接続配管（45）は、熱源側液冷媒配管（43）の第２中途部（Q2）と第３中途部（Q3）とを接続している。第２中途部（Q2）は、熱源側液冷媒配管（43）において第１中途部（Q1）と液閉鎖弁（V1）との間に位置し、第３中途部（Q3）は、熱源側液冷媒配管（43）において熱源側熱交換器（23）の液端とレシーバ（35）との間に位置する。
【００５７】
《第２接続配管》
第２接続配管（46）は、熱源側液冷媒配管（43）の第４中途部（Q4）と第５中途部（Q5）とを接続している。第４中途部（Q4）は、熱源側液冷媒配管（43）において第１中途部（Q1）と第２中途部（Q2）の間に位置し、第５中途部（Q5）は、熱源側液冷媒配管（43）において熱源側熱交換器（23）の液端と第３中途部（Q3）との間に位置する。
【００５８】
《熱源側膨張弁》
熱源側膨張弁（36）は、第２接続配管（46）に設けられている。また、熱源側膨張弁（36）は、その開度を調節可能に構成されている。例えば、熱源側膨張弁（36）は、電子膨張弁（電動弁）によって構成されている。
【００５９】
《第１逆止弁》
第１逆止弁（CV1）は、熱源側液冷媒配管（43）の第３中途部（Q3）と第５中途部（Q5）との間に設けられ、第５中途部（Q5）から第３中途部（Q3）へ向かう冷媒の流れを許容し、その逆方向の冷媒の流れを阻止するように構成されている。
【００６０】
《第２逆止弁》
第２逆止弁（CV2）は、熱源側液冷媒配管（43）の第２中途部（Q2）と第４中途部（Q4）との間に設けられ、第４中途部（Q4）から第２中途部（Q2）へ向かう冷媒の流れを許容し、その逆方向の冷媒の流れを阻止するように構成されている。
【００６１】
《第３逆止弁》
第３逆止弁（CV3）は、第１接続配管（45）に設けられ、熱源側液冷媒配管（43）の第２中途部（Q2）から第３中途部（Q3）へ向かう冷媒の流れを許容し、その逆方向の冷媒の流れを阻止するように構成されている。
【００６２】
《第１油分離器と第１吐出逆止弁》
第１油分離器（OSa）および第１吐出逆止弁（CVa）は、吐出冷媒配管（41）において第１圧縮機（21a）と四方切換弁（22）の第１ポートとの間（具体的には、第１吐出管（41a））に設けられている。第１吐出管（41a）では、第１吐出管（41a）の入口側から出口側へ向けて第１油分離器（OSa）と第１吐出逆止弁（CVa）とが順に配置されている。第１油分離器（OSa）は、第１圧縮機（21a）から吐出された冷媒から冷凍機油を分離して内部に貯留することができるように構成されている。第１吐出逆止弁（CVa）は、第１吐出管（41a）の入口側から出口側へ向かう冷媒の流れを許容し、その逆方向の冷媒の流れを阻止するように構成されている。
【００６３】
《第２油分離器と第２吐出逆止弁》
第２油分離器（OSb）は、吐出冷媒配管（41）において第２圧縮機（21b）と四方切換弁（22）の第１ポートとの間（具体的には、第２吐出管（41b））に設けられている。第２吐出管（41b）では、第２吐出管（41b）の入口側から出口側へ向けて第２油分離器（OSb）と第２吐出逆止弁（CVb）とが順に配置されている。第２油分離器（OSb）は、第２圧縮機（21b）から吐出された冷媒から冷凍機油を分離して内部に貯留することができるように構成されている。第２吐出逆止弁（CVb）は、第２吐出管（41b）の入口側から出口側へ向かう冷媒の流れを許容し、その逆方向の冷媒の流れを阻止するように構成されている。
【００６４】
《油戻し配管》
油戻し配管（47）は、第１および第２油分離器（OSa,OSb）に貯留された冷凍機油をインジェクション配管（44）に供給するための配管である。この例では、油戻し配管（47）は、一端が第１および第２油分離器（OSa,OSb）に接続される第１および第２油戻し管（47a,47b）と、第１および第２油戻し管（47a,47b）の他端とインジェクション配管（44）の中途部（具体的には、第２インジェクション主管（44n）の中途部（Q6））とを接続する油戻し主管（47c）とによって構成されている。
【００６５】
《第１キャピラリチューブ》
第１キャピラリチューブ（CTa）は、油戻し配管（47）において第１油分離器（OSa）とインジェクション配管（44）の中途部（Q6）との間（具体的には、第１油戻し管（47a））に設けられている。
【００６６】
《第２キャピラリチューブと油戻し逆止弁》
第２キャピラリチューブ（CTb）および油戻し逆止弁（CVc）は、油戻し配管（47）において第２油分離器（OSb）とインジェクション配管（44）の中途部（Q6）との間（具体的には、第２油戻し管（47b））に設けられている。第２油戻し管（47b）では、第２油戻し管（47b）の入口側から出口側へ向けて油戻し逆止弁（CVc）と第２キャピラリチューブ（CTb）とが順に配置されている。油戻し逆止弁（CVc）は、第２油戻し管（47b）の入口側から出口側へ向かう冷媒の流れを許容し、その逆方向の冷媒の流れを阻止するように構成されている。
【００６７】
〈利用側回路〉
利用側回路（18）は、利用側熱交換器（51）と、利用側膨張弁（53）を含む膨張弁回路部（52）とを有している。また、利用側回路（18）には、利用側液冷媒配管（56）と、利用側ガス冷媒配管（57）とが設けられている。利用側液冷媒配管（56）は、その一端が液側連絡配管（13）に接続され、その他端が利用側熱交換器（51）の液端に接続されている。利用側ガス冷媒配管（57）は、その一端が利用側熱交換器（51）のガス端に接続され、その他端がガス側連絡配管（14）に接続されている。
【００６８】
《利用側熱交換器》
利用側熱交換器（51）は、その液端が利用側液冷媒配管（56）によって液側連絡配管（13）に接続され、そのガス端が利用側ガス冷媒配管（57）によってガス側連絡配管（14）に接続されている。また、利用側熱交換器（51）の近傍には、利用側ファン（19）が配置されている。そして、利用側熱交換器（51）は、冷媒と利用側ファン（19）によって搬送された利用側空気（すなわち、庫内空気）とを熱交換させるように構成されている。例えば、利用側熱交換器（51）は、クロスフィン式のフィン・アンド・チューブ型熱交換器によって構成されている。
【００６９】
《膨張弁回路部》
膨張弁回路部（52）は、利用側熱交換器（51）の液端と液側連絡配管（13）との間に接続されている。この例では、膨張弁回路部（52）は、利用側液冷媒配管（56）に設けられている。また、膨張弁回路部（52）は、利用側膨張弁（53）と、主配管（60）と、バイパス配管（70）と、切換機構（54）とを有している。
【００７０】
−利用側膨張弁−
利用側膨張弁（53）は、感温式の膨張弁である。具体的には、利用側膨張弁（53）は、温度自動膨張弁によって構成されている。この例では、利用側膨張弁（53）は、外部均圧形温度自動膨張弁によって構成されている。具体的には、利用側膨張弁（53）は、利用側ガス冷媒配管（57）に取り付けられる感温筒（53a）と、利用側ガス冷媒配管（57）の中途部に接続される均圧管（53b）とを有し、感温筒（53a）の温度と均圧管（53b）の冷媒圧力とに応じて開度が調節される。なお、感温筒（53a）には、冷媒回路（20）の循環する冷媒と同一の冷媒が充填されている。したがって、感温筒（53a）内の冷媒圧力は、利用側ガス冷媒配管（57）における冷媒の温度に対応した飽和圧力となる。
【００７１】
−主配管−
主配管（60）は、利用側膨張弁（53）を経由して利用側熱交換器（51）と液側連絡配管（13）との間に冷媒を流すための配管である。主配管（60）には、利用側膨張弁（53）が設けられている。この例では、主配管（60）は、利用側液冷媒配管（56）の一部を構成している。すなわち、主配管（60）は、その一端が液側連絡配管（13）に接続され、その他端が利用側熱交換器（51）の液端に接続されている。
【００７２】
−バイパス配管−
バイパス配管（70）は、主配管（60）を迂回して利用側熱交換器（51）と液側連絡配管（13）との間に冷媒を流すための配管である。この例では、バイパス配管（70）は、利用側液冷媒配管（56）の一部を構成する主配管（60）と並列に接続されている。すなわち、バイパス配管（70）は、その一端が液側連絡配管（13）に接続され、その他端が利用側熱交換器（51）の液端に接続されている。
【００７３】
−切換機構−
切換機構（54）は、主配管（60）の開閉（開状態/閉状態）およびバイパス配管（70）の開閉（開状態/閉状態）を切り換えるように構成されている。この例では、切換機構（54）は、主配管（60）の開閉を切り換えるために設けられた利用側開閉弁（61）および利用側開閉弁（61）と、バイパス配管（70）の開閉を切り換えるために設けられたバイパス開閉弁（71）およびバイパス逆止弁（72）とを有している。
【００７４】
−利用側開閉弁−
利用側開閉弁（61）は、開状態と閉状態とに切り換え可能に構成されている。この例では、利用側開閉弁（61）は、電磁弁によって構成されている。そして、利用側開閉弁（61）は、主配管（60）に設けられている。この例では、利用側開閉弁（61）は、主配管（60）において利用側膨張弁（53）と液側連絡配管（13）との間に設けられている。
【００７５】
−利用側逆止弁−
利用側逆止弁（62）は、主配管（60）に設けられて液側連絡配管（13）側から利用側熱交換器（51）側へ向かう冷媒の流れのみを許容するように構成されている。この例では、利用側逆止弁（62）は、主配管（60）において利用側熱交換器（51）と利用側膨張弁（53）との間に設けられて利用側膨張弁（53）から利用側熱交換器（51）へ向かう冷媒の流れのみを許容するように構成されている。
【００７６】
−バイパス開閉弁−
バイパス開閉弁（71）は、開状態と閉状態とに切り換え可能に構成されている。この例では、バイパス開閉弁（71）は、電磁弁によって構成されている。そして、バイパス開閉弁（71）は、バイパス配管（70）に設けられている。
【００７７】
−バイパス逆止弁−
バイパス逆止弁（72）は、バイパス配管（70）に設けられて利用側熱交換器（51）側から液側連絡配管（13）側へ向かう冷媒の流れのみを許容するように構成されている。この例では、バイパス逆止弁（72）は、バイパス配管（70）においてバイパス開閉弁（71）と液側連絡配管（13）との間に設けられてバイパス開閉弁（71）から液側連絡配管（13）へ向かう冷媒の流れのみを許容するように構成されている。
【００７８】
〈各種センサ〉
冷凍装置（10）には、温度センサや圧力センサなどの各種センサが設けられている。この例では、利用側ユニット（12）に冷媒温度センサ（81）が設けられている。冷媒温度センサ（81）は、除霜運転における利用側熱交換器（51）の出口冷媒温度（すなわち、除霜運転において利用側熱交換器（51）から流出した冷媒の温度）を検出するように構成されている。この例では、冷媒温度センサ（81）は、利用側液冷媒配管（56）において膨張弁回路部（52）と液側連絡配管（13）との間に設置され、除霜運転における設置場所の冷媒温度を除霜運転における利用側熱交換器（51）の出口冷媒温度として検出する。
【００７９】
〈コントローラ（制御部）〉
コントローラ（80）は、冷凍装置（10）に設けられた各種センサの検出値や外部からの信号に基づいて冷凍装置（10）の各部を制御して冷凍装置（10）の運転動作を制御する。具体的には、コントローラ（80）は、熱源側ファン（17）と、利用側ファン（19）と、第１および第２圧縮機（21a,21b）と、四方切換弁（22）と、過冷却膨張弁（31）と、中間膨張弁（32）と、中間開閉弁（33）と、熱源側膨張弁（36）と、切換機構（54）（この例では、利用側開閉弁（61）とバイパス開閉弁（71））とを制御するように構成されている。
【００８０】
なお、コントローラ（80）は、熱源側ユニット（11）の各部を制御する熱源側コントローラと、複数の利用側ユニット（12）の各部をそれぞれ制御する複数の利用側コントローラとによって構成されていてもよい。熱源側コントローラおよび複数の利用側コントローラは、互いに通信可能に構成されている。
【００８１】
この例では、冷凍装置（10）において冷却運転と除霜運転とが選択的に行われる。冷却運転は、庫内を冷却するための運転であり、除霜運転は、利用側熱交換器（51）に付着した霜を融解させるための運転である。
【００８２】
〈冷却運転〉
次に、図２を参照して、冷却運転について説明する。冷却運転では、熱源側熱交換器（23）が凝縮器となり利用側熱交換器（51）が蒸発器となる冷凍サイクルが行われるように冷媒回路（20）において冷媒が循環する。
【００８３】
熱源側ユニット（11）では、四方切換弁（22）が第１状態に設定される。これにより、第１および第２圧縮機（21a,21b）の吐出ポートと熱源側熱交換器（23）のガス端とが連通し、第１および第２圧縮機（21a,21b）の吸入ポートとガス側連絡配管（14）とが連通する。また、第１および第２圧縮機（21a,21b）と熱源側ファン（17）が駆動状態に設定され、過冷却膨張弁（31）の開度と中間膨張弁（32）の開度が調節され、中間開閉弁（33）が開状態に設定され、熱源側膨張弁（36）が全閉状態に設定される。
【００８４】
利用側ユニット（12）では、利用側ファン（19）が駆動状態に設定される。また、バイパス開閉弁（71）が閉状態に設定されてバイパス配管（70）が閉状態（冷媒の流れを阻止することができる状態）となる。そして、庫内の冷却の要否に応じて利用側開閉弁（61）が開状態または閉状態に設定されて主配管（60）が開状態（冷媒を流すことができる状態）または閉状態となる。具体的には、コントローラ（80）は、庫内の冷却が必要である場合（例えば、庫内空気の温度が予め定められた目標冷却温度を上回る場合）に、利用側開閉弁（61）を開状態に設定して主配管（60）を開状態とし、庫内の冷却が不要である場合（例えば、庫内空気の温度が目標冷却温度を上回らない場合）に、利用側開閉弁（61）を閉状態に設定して主配管（60）を閉状態とする。また、利用側膨張弁（53）の感温筒（53a）の温度と均圧管（53b）の冷媒圧力とに応じて利用側膨張弁（53）の開度が自動的に調節される。なお、図２の例では、全ての利用側ユニット（12）において利用側開閉弁（61）が開状態に設定されて主配管（60）が開状態となっている。
【００８５】
第１および第２圧縮機（21a,21b）から吐出された冷媒は、吐出冷媒配管（41）において第１および第２油分離器（OSa,OSb）と第１および第２吐出逆止弁（CVa,CVb）とを通過した後に、四方切換弁（22）を通過して熱源側熱交換器（23）に流入し、熱源側熱交換器（23）において熱源側空気（すなわち、庫外空気）に放熱して凝縮する。熱源側熱交換器（23）から流出した冷媒（高圧冷媒）は、第１熱源側液管（43a）において第１逆止弁（CV1）を通過した後に、レシーバ（35）と第２熱源側液管（43b）と順に通過して過冷却熱交換器（24）の第１流路（24a）に流入し、過冷却熱交換器（24）の第２流路（24b）を流れる冷媒（中間圧冷媒）に吸熱されて過冷却される。過冷却熱交換器（24）の第１流路（24a）から流出した冷媒は、第３熱源側液管（43c）に流入し、その一部が第１インジェクション主管（44m）に流入し、その残部が第３熱源側液管（43c）において第２逆止弁（CV2）を通過した後に液閉鎖弁（V1）を通過して液側連絡配管（13）に流入する。
【００８６】
第１インジェクション主管（44m）に流入した冷媒は、過冷却膨張弁（31）において減圧されて過冷却熱交換器（24）の第２流路（24b）に流入し、過冷却熱交換器（24）の第１流路（24a）を流れる冷媒（高圧冷媒）から吸熱する。過冷却熱交換器（24）の第２流路（24b）から流出した冷媒は、第２インジェクション主管（44n）を通過し、その一部が第１インジェクション分岐管（44a）に流入し、その残部が第２インジェクション分岐管（44b）に流入する。第１インジェクション分岐管（44a）に流入した冷媒は、中間膨張弁（32）において減圧されて第１圧縮機（21a）の中間ポートに流入する。第２インジェクション分岐管（44b）に流入した冷媒は、中間開閉弁（33）と中間逆止弁（34）とを順に通過して第２圧縮機（21b）の中間ポートに流入する。中間ポートを通過して第１および第２圧縮機（21a,21b）内に流入した冷媒は、第１および第２圧縮機（21a,21b）内の冷媒（具体的には、圧縮室内の冷媒）と混合される。すなわち、第１および第２圧縮機（21a,21b）内の冷媒が冷却されながら圧縮される。
【００８７】
液側連絡配管（13）に流入した冷媒は、利用側開閉弁（61）が開状態に設定されて主配管（60）が開状態となっている利用側ユニット（12）に流入する。利用側開閉弁（61）が開状態に設定されて主配管（60）が開状態となっている利用側ユニット（12）では、液側連絡配管（13）から主配管（60）に流入した冷媒は、開状態となっている利用側開閉弁（61）を通過して利用側膨張弁（53）において減圧され、その後、利用側逆止弁（62）を通過して利用側熱交換器（51）に流入し、利用側熱交換器（51）において利用側空気（すなわち、庫内空気）から吸熱して蒸発する。これにより、利用側空気が冷却される。利用側熱交換器（51）から流出した冷媒は、利用側ガス冷媒配管（57）とガス側連絡配管（14）と熱源側ユニット（11）のガス閉鎖弁（V2）と四方切換弁（22）と吸入冷媒配管（42）とを順に通過して第１および第２圧縮機（21a,21b）の吸入ポートに吸入される。
【００８８】
また、第１および第２油分離器（OSa,OSb）では、冷媒（すなわち、第１および第２圧縮機（21a,21b）から吐出された冷媒）から冷凍機油が分離され、その冷凍機油が第１および第２油分離器（OSa,OSb）に貯留される。第１油分離器（OSa）に貯留された冷凍機油は、第１油戻し管（47a）において第１キャピラリチューブ（CTa）を通過した後に、油戻し主管（47c）に流入する。第２油分離器（OSb）に貯留された冷凍機油は、第２油戻し管（47b）において油戻し逆止弁（CVc）と第２キャピラリチューブ（CTb）とを順に通過した後に、油戻し主管（47c）に流入する。油戻し主管（47c）に流入した冷凍機油は、第２インジェクション主管（44n）に流入して第２インジェクション主管（44n）を流れる冷媒と合流する。
【００８９】
なお、利用側ユニット（12）において利用側開閉弁（61）が閉状態に設定されて主配管（60）が閉状態となっている場合、その利用側ユニット（12）の利用側熱交換器（51）には冷媒が流れない。
【００９０】
〈除霜運転〉
次に、図３を参照して、除霜運転について説明する。除霜運転では、利用側熱交換器（51）が凝縮器となり熱源側熱交換器（23）が蒸発器となる冷凍サイクルが行われるように冷媒回路（20）において冷媒が循環する。
【００９１】
熱源側ユニット（11）では、四方切換弁（22）が第２状態に設定される。これにより、第１および第２圧縮機（21a,21b）の吐出ポートとガス側連絡配管（14）とが連通し、第１および第２圧縮機（21a,21b）の吸入ポートと熱源側熱交換器（23）のガス端とが連通する。また、第１および第２圧縮機（21a,21b）と熱源側ファン（17）が駆動状態に設定され、過冷却膨張弁（31）と中間膨張弁（32）が全閉状態に設定され、中間開閉弁（33）が閉状態に設定され、熱源側膨張弁（36）の開度が調節される。
【００９２】
利用側ユニット（12）では、利用側ファン（19）が停止状態に設定される。また、利用側開閉弁（61）が閉状態に設定されて主配管（60）が閉状態となる。そして、利用側熱交換器（51）の除霜の状況に応じてバイパス開閉弁（71）が開状態または閉状態に設定されてバイパス配管（70）が開状態または閉状態となる。なお、除霜運転における切換機構（54）の制御（バイパス配管（70）の開閉）については、後で詳しく説明する。また、利用側膨張弁（53）の感温筒（53a）の温度と均圧管（53b）の冷媒圧力とに応じて利用側膨張弁（53）の開度が自動的に調節される。なお、図３の例では、全ての利用側ユニット（12）においてバイパス開閉弁（71）が開状態に設定されてバイパス配管（70）が開状態となっている。
【００９３】
第１および第２圧縮機（21a,21b）から吐出された冷媒は、吐出冷媒配管（41）において第１および第２油分離器（OSa,OSb）と第１および第２吐出逆止弁（CVa,CVb）を通過した後に、四方切換弁（22）とガス閉鎖弁（V2）とを順に通過してガス側連絡配管（14）に流入する。
【００９４】
ガス側連絡配管（14）に流入した冷媒は、バイパス開閉弁（71）が開状態に設定されてバイパス配管（70）が開状態となっている利用側ユニット（12）に流入する。バイパス開閉弁（71）が開状態に設定されてバイパス配管（70）が開状態となっている利用側ユニット（12）では、ガス側連絡配管（14）から流入した冷媒は、利用側ガス冷媒配管（57）を通過して利用側熱交換器（51）に流入し、利用側熱交換器（51）において放熱して凝縮する。これにより、利用側熱交換器（51）に付着した霜が加熱されて融解する。利用側熱交換器（51）から流出した冷媒は、バイパス配管（70）において開状態のバイパス開閉弁（71）とバイパス逆止弁（72）とを順に通過して液側連絡配管（13）に流入する。
【００９５】
液側連絡配管（13）を通過した冷媒は、熱源側ユニット（11）の液閉鎖弁（V1）を通過して第３熱源側液管（43c）に流入する。第３熱源側液管（43c）に流入した冷媒は、第２中途部（Q2）において第１接続配管（45）に流入し、第１接続配管（45）において第２逆止弁（CV2）を通過して第１熱源側液管（43a）の中途部（第３中途部（Q3））に流入する。第１熱源側液管（43a）の中途部に流入した冷媒は、レシーバ（35）と第２熱源側液管（43b）と過冷却熱交換器（24）の第１流路（24a）とを順に通過して第３熱源側液管（43c）に流入する。第３熱源側液管（43c）に流入した冷媒は、第４中途部（Q4）において第２接続配管（46）に流入し、熱源側膨張弁（36）において減圧されて第１熱源側液管（43a）の中途部（第５中途部（Q5））に流入する。第１熱源側液管（43a）の中途部に流入した冷媒は、熱源側熱交換器（23）に流入し、熱源側熱交換器（23）において熱源側空気（すなわち、庫外空気）から吸熱して蒸発する。熱源側熱交換器（23）から流出した冷媒は、四方切換弁（22）と吸入冷媒配管（42）とを順に通過して第１および第２圧縮機（21a,21b）の吸入ポートに吸入される。
【００９６】
なお、利用側ユニット（12）においてバイパス開閉弁（71）が閉状態に設定されてバイパス配管（70）が閉状態となっている場合、その利用側ユニット（12）の利用側熱交換器（51）には冷媒が流れない。
【００９７】
〈除霜運転における切換機構の制御〉
次に、除霜運転における切換機構（54）の制御（バイパス配管（70）の開閉）について説明する。この例では、バイパス開閉弁（71）を開状態に設定することにより、バイパス配管（70）が開状態に設定され、バイパス開閉弁（71）を閉状態に設定することにより、バイパス配管（70）が閉状態に設定される。
【００９８】
まず、コントローラ（80）は、除霜運転が開始されるように冷凍装置（10）の各部を制御する。例えば、コントローラ（80）は、冷却運転を開始した後に予め定められた時間（冷却運転時間）が経過すると、冷却運転が終了して除霜運転が開始されるように冷凍装置（10）の各部を制御する。
【００９９】
除霜運転が開始すると、コントローラ（80）は、複数の利用側ユニット（12）の各々において主配管（60）が閉状態となりバイパス配管（70）が開状態となるように切換機構（54）を制御する。これにより、ガス側連絡配管（14）から複数の利用側ユニット（12）の各々に冷媒（高温高圧の冷媒）が供給されて、複数の利用側ユニット（12）の各々において高温高圧の冷媒を用いた利用側熱交換器（51）の除霜が開始される。
【０１００】
なお、利用側熱交換器（51）の利用状況（霜の付き方など）の違いや利用側熱交換器（51）の設置状況（配管や高低差など）の違いや利用側熱交換器（51）のサイズの違いなどの要因により、複数の利用側ユニット（12）において利用側熱交換器（51）の除霜完了のタイミングが異なることが予想される。
【０１０１】
そのため、この実施形態による冷凍装置（10）では、コントローラ（80）は、除霜運転の開始後に複数の利用側ユニット（12）の各々に対して利用側熱交換器（51）の除霜が完了したか否かを監視し、複数の利用側ユニット（12）のいずれかにおいて利用側熱交換器（51）の除霜が完了すると、その利用側熱交換器（51）の除霜が完了した利用側ユニット（12）においてバイパス配管（70）が開状態から閉状態に切り換わるように切換機構（54）を制御する。例えば、コントローラ（80）は、複数の利用側ユニット（12）の各々に設けられた冷媒温度センサ（81）の検出値（除霜運転における利用側熱交換器（51）の出口冷媒温度）を監視し、冷媒温度センサ（81）の検出値が予め定められた除霜完了温度を上回ると、その冷媒温度センサ（81）が設けられた利用側ユニット（12）において利用側熱交換器（51）の除霜が完了しているとみなすように構成されている。なお、除霜完了温度は、利用側熱交換器（51）の除霜が完了しているとみなすことができる場合に利用側熱交換器（51）から流出される冷媒の温度に設定されている。
【０１０２】
また、除霜運転においてバイパス配管（70）が閉状態となっている利用側ユニット（12）では、利用側熱交換器（51）に冷媒が溜まり込む可能性がある。
【０１０３】
そのため、この実施形態による冷凍装置（10）では、コントローラ（80）は、複数の利用側ユニット（12）のうち利用側熱交換器（51）の除霜が完了していない利用側ユニット（12）においてバイパス配管（70）が開状態に維持されるように切換機構（54）を制御する一方で、利用側熱交換器（51）の除霜が完了している利用側ユニット（12）においてバイパス配管（70）が間欠的に開状態となるように切換機構（54）を制御する。例えば、コントローラ（80）は、利用側熱交換器（51）の除霜が完了しているとみなした利用側ユニット（12）において、バイパス配管（70）を開状態から閉状態に切り換えた後に予め定められた閉鎖期間（例えば１０分間）が経過すると、そのバイパス配管（70）を閉状態から開状態に切り換え、その後、予め定められた開通時間（例えば２分間）が経過すると、そのバイパス配管を開状態から閉状態に切り換える。
【０１０４】
そして、コントローラ（80）は、全ての利用側ユニット（12）において利用側熱交換器（51）の除霜が完了すると、除霜運転が終了して冷却運転が再開されるように冷凍装置（10）の各部を制御する。なお、コントローラ（80）は、除霜運転を開始した後に予め定められた時間（除霜運転時間）が経過すると、除霜運転が終了して冷却運転が再開されるように冷凍装置（10）の各部を制御してもよい。除霜運転時間は、閉鎖時間や開通時間よりも十分に長い時間（例えば３０分間）に設定されている。
【０１０５】
〈実施形態による効果〉
以上のように、切換機構（54）を制御して主配管（60）を開状態することにより、感温式の利用側膨張弁（53）を経由して液側連絡配管（13）と利用側熱交換器（51）との間に冷媒を流すことができる。また、切換機構（54）を制御してバイパス配管（70）を開状態することにより、感温式の利用側膨張弁（53）を迂回して液側連絡配管（13）と利用側熱交換器（51）との間に冷媒を流すことができる。すなわち、利用側膨張弁（53）を経由して冷媒を流すことができない場合であっても、バイパス配管（70）を開状態に設定することによって液側連絡配管（13）と利用側熱交換器（51）との間に冷媒を流すことができる。これにより、感温式の利用側膨張弁（53）を有する利用側ユニット（12）において液側連絡配管（13）と利用側熱交換器（51）との間に冷媒を任意に流すことができる。
【０１０６】
また、バイパス配管（70）にバイパス開閉弁（71）を設けることにより、バイパス開閉弁（71）を開状態に設定してバイパス配管（70）を開状態に設定することができ、バイパス開閉弁（71）を閉状態に設定してバイパス配管（70）を閉状態にすることができる。このように、バイパス開閉弁（71）の開閉を切り換えることによってバイパス配管（70）の開閉を切り換えることができる。
【０１０７】
また、バイパス配管（70）にバイパス逆止弁（72）を設けることにより、バイパス配管（70）において液側連絡配管（13）側から利用側熱交換器（51）側への冷媒の流れを阻止することができる。これにより、液側連絡配管（13）から開状態の主配管（60）を経由して利用側熱交換器（51）に冷媒を流す場合（具体的には、冷却運転の場合）に、バイパス配管（70）を経由した冷媒の漏れ（すなわち、液側連絡配管（13）からバイパス配管（70）を経由して利用側熱交換器（51）に冷媒が流れてしまうこと）を防止することができる。その結果、液側連絡配管（13）から開状態の主配管（60）を経由して利用側熱交換器（51）に冷媒を流す場合（具体的には、冷却運転の場合）に、主配管（60）を流れる冷媒の流量を確保することができる。
【０１０８】
また、主配管（60）に利用側開閉弁（61）を設けることにより、利用側開閉弁（61）を開状態に設定して主配管（60）を開状態に設定することができ、利用側開閉弁（61）を閉状態に設定して主配管（60）を閉状態にすることができる。このように、利用側開閉弁（61）の開閉を切り換えることによって主配管（60）の開閉を切り換えることができる。
【０１０９】
また、主配管（60）に利用側逆止弁（62）を設けることにより、主配管（60）において利用側熱交換器（51）側から液側連絡配管（13）側への冷媒の流れを阻止することができる。これにより、利用側熱交換器（51）から開状態のバイパス配管（70）を経由して液側連絡配管（13）に冷媒を流す場合（具体的には、除霜運転の場合）に、主配管（60）を経由した冷媒の漏れ（すなわち、利用側熱交換器（51）から主配管（60）を経由して液側連絡配管（13）に冷媒が流れてしまうこと）を防止することができる。その結果、利用側熱交換器（51）から開状態のバイパス配管（70）を経由して液側連絡配管（13）に冷媒を流す場合（具体的には、除霜運転の場合）に、バイパス配管（70）を流れる冷媒の流量を確保することができる。
【０１１０】
また、除霜運転を開始する場合に主配管（60）を閉状態にしてバイパス配管（70）を開状態にすることにより、ガス側連絡配管（14）から利用側熱交換器（51）とバイパス配管（70）とを順に経由して液側連絡配管（13）に至る冷媒の流路を確保することができる。これにより、ガス側連絡配管（14）から利用側熱交換器（51）に冷媒（高温高圧の冷媒）を供給することができるので、高温高圧の冷媒を用いて利用側熱交換器（51）の除霜を行うことができる。
【０１１１】
また、利用側熱交換器（51）の除霜が完了した利用側ユニット（12）においてバイパス配管（70）を開状態から閉状態に切り換えることにより、利用側熱交換器（51）の除霜が完了した利用側ユニット（12）においてガス側連絡配管（14）から利用側熱交換器（51）への冷媒（高温高圧の冷媒）の供給を阻止することができる。これにより、利用側熱交換器（51）の除霜が完了していない利用側ユニット（12）においてガス側連絡配管（14）から利用側熱交換器（51）への冷媒（高温高圧の冷媒）の供給を促進させることができるので、利用側熱交換器（51）の除霜が完了していない利用側ユニット（12）において利用側熱交換器（51）の除霜を促進させることができる。具体的には、利用側熱交換器（51）の除霜が完了していない利用側ユニット（12）において利用側熱交換器（51）の除霜に要する時間を短縮することができる。
【０１１２】
また、利用側熱交換器（51）の除霜が完了している利用側ユニット（12）においてバイパス配管（70）を間欠的に開状態にすることにより、利用側熱交換器（51）の除霜が完了している利用側ユニット（12）において利用側熱交換器（51）内の冷媒をバイパス配管（70）を経由して液側連絡配管（13）に間欠的に放出することができる。これにより、利用側熱交換器（51）の除霜が完了している利用側ユニット（12）において利用側熱交換器（51）内に冷媒が溜まり込むことを防止することができる。
【０１１３】
また、感温筒（53a）の温度に応じて開度が自動的に調節される感温式膨張弁を用いて利用側膨張弁（53）を構成することにより、コントローラ（80）の制御によって開度が調節される電子膨張弁を用いて利用側膨張弁（53）を構成する場合に必要となる設備（制御線など）や制約を省略することができる。
【０１１４】
（利用側ユニットの変形例）
図４に示すように、利用側ユニット（12）において、切換機構（54）は、利用側膨張弁（53）の均圧管（53b）を利用側ガス冷媒配管（57）の中途部に接続する第１接続状態と、利用側膨張弁（53）の均圧管（53b）を主配管（60）における利用側膨張弁（53）と液側連絡配管（13）との間の中途部に接続する第２接続状態とに切り換え可能に構成されていてもよい。
【０１１５】
図４では、切換機構（54）は、三方弁（63）によって構成されている。三方弁（63）は、第１ポートが利用側膨張弁（53）の均圧管（53b）に接続され、第２ポートが利用側ガス冷媒配管（57）の中途部（具体的には、感温筒（53a）の取り付け位置とガス側連絡配管（14）との間に位置する中途部）に接続され、第３ポートが主配管（60）の中途部（具体的には、液側連絡配管（13）と利用側膨張弁（53）との間に位置する中途部）に接続されている。そして、三方弁（63）は、第１ポートと第２ポートとが連通する第１状態と、第１ポートと第３ポートとが連通する第２状態とに切り換え可能に構成されている。
【０１１６】
三方弁（63）が第１状態（第１ポートと第２ポートとが連通する状態）に設定されることにより、切換機構（54）が第１接続状態（利用側膨張弁（53）の均圧管（53b）を利用側ガス冷媒配管（57）の中途部に接続する状態）となる。一方、三方弁（63）が第２状態（第１ポートと第３ポートとが連通する状態）に設定されることにより、切換機構（54）が第２接続状態（利用側膨張弁（53）の均圧管（53b）を主配管（60）における利用側膨張弁（53）と液側連絡配管（13）との間の中途部に接続する状態）となる。
【０１１７】
また、この例では、利用側膨張弁（53）は、外部均圧形温度自動膨張弁によって構成されている。具体的には、利用側膨張弁（53）は、感温筒（53a）内の冷媒圧力が均圧管（53b）内の冷媒圧力と所定の抵抗力（例えば、利用側膨張弁（53）の内部に設けられたニードル弁をダイアフラム側に付勢するスプリングの付勢力）との合計を上回る場合に開状態となり、感温筒（53a）内の冷媒圧力が均圧管（53b）内の冷媒圧力と抵抗力との合計値を下回る場合に閉状態となるように構成されている。なお、抵抗力は、冷却運転において利用側膨張弁（53）の均圧管（53b）が利用側ガス冷媒配管（57）の中途部に接続された場合に利用側膨張弁（53）の感温筒（53a）内の冷媒圧力（低圧）が均圧管（53b）内の冷媒圧力（低圧）と抵抗力との合計を上回るように（すなわち、利用側膨張弁（53）が開状態となるように）設定されている。
【０１１８】
〈冷却運転〉
図５に示すように、図４に示した利用側ユニット（12）の備えた冷凍装置（10）の冷却運転では、バイパス開閉弁（71）が閉状態に設定されてバイパス配管（70）が閉状態となる。そして、庫内の冷却の要否に応じて三方弁（63）が第１状態または第２状態に設定される。具体的には、コントローラ（80）は、庫内の冷却が必要である場合（例えば、庫内空気の温度が予め定められた目標冷却温度を上回る場合）に、三方弁（63）を第１状態（第１ポートと第２ポートとが連通する状態）に設定し、庫内の冷却が不要である場合（例えば、庫内空気の温度が予め定められた目標冷却温度を上回らない場合）に、三方弁（63）を第２状態（第１ポートと第３ポートとが連通する状態）に設定する。なお、図５の例では、三方弁（63）が第１状態に設定されて利用側膨張弁（53）の均圧管（53b）が利用側ガス冷媒配管（57）の中途部に接続されている。その他の制御は、図１に示した冷凍装置（10）の制御と同様となっている。
【０１１９】
冷却運転において三方弁（63）が第１状態に設定されると、利用側膨張弁（53）の均圧管（53b）が利用側ガス冷媒配管（57）の中途部に接続される。冷却運転では、利用側ガス冷媒配管（57）内の冷媒が低温低圧となっている。したがって、感温筒（53a）内の冷媒圧力（低圧）が均圧管（53b）内の冷媒圧力（低圧）と抵抗力との合計を上回るので、利用側膨張弁（53）が開状態に設定される。そして、感温筒（53a）の温度と均圧管（53b）の冷媒圧力とに応じて利用側膨張弁（53）の開度が調節される。
【０１２０】
一方、冷却運転において三方弁（63）が第２状態に設定されると、利用側膨張弁（53）の均圧管（53b）が主配管（60）における利用側膨張弁（53）と液側連絡配管（13）との間の中途部に接続される。冷却運転では、主配管（60）における利用側膨張弁（53）と液側連絡配管（13）との間の配管部における冷媒が高温高圧となっており、利用側ガス冷媒配管（57）内の冷媒が比較的に低温低圧となっている。したがって、感温筒（53a）内の冷媒圧力（低圧）が均圧管（53b）内の冷媒圧力（高圧）と抵抗力との合計を下回るので、利用側膨張弁（53）が閉状態に設定される。
【０１２１】
〈除霜運転〉
図６に示すように、図４に示した利用側ユニット（12）の備えた冷凍装置（10）の除霜運転では、三方弁（63）が第２状態（第１ポートと第３ポートとが連通する状態）に設定されて利用側膨張弁（53）の均圧管（53b）が主配管（60）における利用側膨張弁（53）と液側連絡配管（13）との間の中途部に接続される。これにより、利用側膨張弁（53）が閉状態となる。そして、利用側熱交換器（51）の除霜の状況に応じてバイパス開閉弁（71）が開状態または閉状態に設定されてバイパス配管（70）が開状態または閉状態となる。図６の例では、バイパス開閉弁（71）が開状態に設定されてバイパス配管（70）が開状態となっている。その他の制御は、図１に示した冷凍装置（10）の制御と同様となっている。
【０１２２】
除霜運転において三方弁（63）が第２状態に設定されると、利用側膨張弁（53）の均圧管（53b）が主配管（60）における利用側膨張弁（53）と液側連絡配管（13）との間の中途部に接続される。除霜運転では、利用側ガス冷媒配管（57）内の冷媒が高温高圧となっており、主配管（60）における利用側膨張弁（53）と液側連絡配管（13）との間の配管部における冷媒が高温高圧となっている。したがって、感温筒（53a）内の冷媒圧力（高圧）が均圧管（53b）内の冷媒圧力（高圧）と抵抗力との合計を上回るので、利用側膨張弁（53）が開状態に設定される。
【０１２３】
〈利用側ユニットの変形例による効果〉
以上のように、熱源側熱交換器（23）が凝縮器となり利用側熱交換器（51）が蒸発器となるように冷媒を循環させる冷却運転の場合（すなわち、液側連絡配管（13）から利用側熱交換器（51）を経由してガス側連絡配管（14）へ向けて冷媒を流そうとする場合）に、切換機構（54）を第１接続状態（利用側膨張弁（53）の均圧管（53b）を利用側ガス冷媒配管（57）の中途部に接続する状態）に設定することにより、利用側膨張弁（53）を開状態に設定して主配管（60）を開状態にすることができる。また、切換機構（54）を第２接続状態（利用側膨張弁（53）の均圧管（53b）を主配管（60）における利用側膨張弁（53）と液側連絡配管（13）との間の中途部に接続する状態）に設定することにより、利用側膨張弁（53）を閉状態に設定して主配管（60）を閉状態に設定することができる。このように、切換機構（54）の状態を切り換えることにより、主配管（60）の開閉を切り換えることができる。
【０１２４】
（その他の実施形態）
以上の説明では、利用側開閉弁（61）が電磁弁によって構成されている場合を例に挙げたが、利用側開閉弁（61）は、二方弁によって構成されていてもよい。この場合、利用側逆止弁（62）を省略してもよい。これと同様に、バイパス開閉弁（71）が電磁弁によって構成されている場合を例に挙げたが、バイパス開閉弁（71）は、二方弁によって構成されていてもよい。この場合、バイパス逆止弁（72）を省略してもよい。
【０１２５】
また、以上の説明では、冷凍装置（10）が２つの利用側ユニット（12）を備えている場合を例に挙げたが、利用側ユニット（12）の台数は、３台以上であってもよい。
【０１２６】
また、以上の説明では、冷媒回路（20）に２台の圧縮機（21a,21b）が設けられている場合を例に挙げたが、圧縮機の台数は、１台であってもよいし、３台以上であってもよい。
【０１２７】
また、以上の実施形態や変形例を適宜組み合わせて実施してもよい。以上の実施形態や変形例は、本質的に好ましい例示であって、この発明、その適用物、あるいはその用途の範囲を制限することを意図するものではない。
【産業上の利用可能性】
【０１２８】
以上説明したように、上述の冷凍装置は、庫内などを冷却する冷凍装置として有用である。
【符号の説明】
【０１２９】
１０          冷凍装置
１１          熱源側ユニット
１２          利用側ユニット
１３          液側連絡配管
１４          ガス側連絡配管
１５          冷媒回路
２１ａ        第１圧縮機
２１ｂ        第２圧縮機
２２          四方切換弁
２３          熱源側熱交換器
２４          過冷却熱交換器
５１          利用側熱交換器
５２          膨張弁回路部
５３          利用側膨張弁
５３ａ        感温筒
５３ｂ        均圧管
５４          切換機構
５６          利用側液冷媒配管
５７          利用側ガス冷媒配管
６０          主配管
６１          利用側開閉弁
６２          利用側逆止弁
６３          三方弁
７０          バイパス配管
７１          バイパス開閉弁
７２          バイパス逆止弁
８０          コントローラ
８１          冷媒温度センサ
【図１】
2018004150.tif 000003
【図２】
2018004150.tif 000004
【図３】
2018004150.tif 000005
【図４】
2018004150.tif 000006
【図５】
2018004150.tif 000007
【図６】
2018004150.tif 000008
【手続補正書】
【提出日】平成29年11月9日(2017.11.9)
【手続補正１】
【補正対象書類名】明細書
【補正対象項目名】全文
【補正方法】変更
【補正の内容】
【発明の詳細な説明】
【技術分野】
【０００１】
この発明は、冷凍装置に関する。
【背景技術】
【０００２】
従来、冷凍サイクルを利用して冷凍装置が知られている。このような冷凍装置は、冷蔵庫や冷凍庫の庫内の冷却や、室内の空調などに広く利用されている。例えば、特許文献１には、庫外ユニットと庫内ユニットとが液側連絡配管とガス側連絡配管とによって接続された冷凍装置が開示されている。庫外ユニットには、圧縮機と熱源側熱交換器とが設けられ、庫内ユニットには、利用側熱交換器と利用側膨張弁とが設けられ、これらが接続されて冷媒回路が構成されている。そして、特許文献１の冷凍装置では、冷却運転と除霜運転とが行われる。冷却運転では、利用側膨張弁の開度が調節され、熱源側熱交換器から流出した冷媒が利用側膨張弁において減圧され、その後、利用側熱交換器において庫内空気から吸熱して蒸発する。これにより、庫内が冷却される。一方、除霜運転では、利用側膨張弁の開度が全開状態に設定され、圧縮機から吐出された冷媒が全開状態の利用側膨張弁を通過し、その後、利用側熱交換器で放熱して凝縮する。これにより、利用側熱交換器が除霜される。なお、利用側膨張弁は、電子膨張弁によって構成されており、コントローラによって開度が調節される。
【先行技術文献】
【特許文献】
【０００３】
【特許文献１】特開２００９-２８７８００号公報
【発明の概要】
【発明が解決しようとする課題】
【０００４】
ところで、特許文献１の冷凍装置において、利用側膨張弁を感温筒を有する感温式膨張弁（温度自動膨張弁）によって構成することが考えられる。しかしながら、利用側膨張弁を感温式膨張弁によって構成した場合、利用側膨張弁の開度が感温筒の温度に応じて変化することになるので、利用側膨張弁の開度を任意に調節することができない。そのため、利用側ユニット（庫内ユニット）では、液側連絡配管と利用側熱交換器との間に冷媒を任意に流すことができなくなってしまう。例えば、除霜運転において、ガス側連絡配管から利用側熱交換器を経由して液側連絡配管に至る冷媒の流路を確保することができなくなるので、ガス側連絡配管から供給された冷媒（高温高圧の冷媒）を用いて利用側熱交換器の除霜を行うことができなくなる。
【０００５】
そこで、この発明は、感温式の利用側膨張弁を有する利用側ユニットにおいて液側連絡配管と利用側熱交換器との間に冷媒を任意に流すことが可能な冷凍装置を提供することを目的とする。
【課題を解決するための手段】
【０００６】
第１の発明は、熱源側熱交換器（23）を有する熱源側ユニット（11）と、それぞれが利用側熱交換器（51）と膨張弁回路部（52）とを有し、液側連絡配管（13）およびガス側連絡配管（14）を介して上記熱源側ユニット（11）とそれぞれ並列に接続されて冷媒が循環する冷媒回路（15）を構成する複数の利用側ユニット（12）とを備え、上記膨張弁回路部（52）は、感温式の利用側膨張弁（53）と、上記利用側膨張弁（53）を経由して上記利用側熱交換器（51）と上記液側連絡配管（13）との間に冷媒を流すための主配管（60）と、上記主配管（60）を迂回して上記利用側熱交換器（51）と上記液側連絡配管（13）との間に冷媒を流すためのバイパス配管（70）と、上記主配管（60）の開閉および上記バイパス配管（70）の開閉を切り換える切換機構（54）とを有し、上記複数の利用側ユニット（12）の各々は、上記利用側熱交換器（51）のガス端と上記ガス側連絡配管（14）とを接続する利用側ガス冷媒配管（57）を有し、上記利用側膨張弁（53）は、上記利用側ガス冷媒配管（57）に取り付けられる感温筒（53a）と、均圧管（53b）とを有し、上記切換機構（54）は、上記利用側膨張弁（53）の均圧管（53b）を上記利用側ガス冷媒配管（57）の中途部に接続する第１接続状態と、該利用側膨張弁（53）の均圧管（53b）を上記主配管（60）における該利用側膨張弁（53）と上記液側連絡配管（13）との間の中途部に接続する第２接続状態とに切り換え可能に構成されていることを特徴とする冷凍装置である。
【０００７】
上記第１の発明では、熱源側熱交換器（23）が凝縮器となり利用側熱交換器（51）が蒸発器となるように冷媒を循環させる冷凍運転の場合（すなわち、液側連絡配管（13）から利用側熱交換器（51）を経由してガス側連絡配管（14）へ向けて冷媒を流そうとする場合）に、切換機構（54）を第１接続状態に設定することにより、利用側膨張弁（53）を開状態に設定して主配管（60）を開状態にすることができる。また、切換機構（54）を第２接続状態に設定することにより、利用側膨張弁（53）を閉状態に設定して主配管（60）を閉状態に設定することができる。
【０００８】
そして、上記第１の発明では、主配管（60）を開状態にすることにより、感温式の利用側膨張弁（53）を経由して液側連絡配管（13）と利用側熱交換器（51）との間に冷媒を流すことができる。また、バイパス配管（70）を開状態にすることにより、感温式の利用側膨張弁（53）を迂回して液側連絡配管（13）と利用側熱交換器（51）との間に冷媒を流すことができる。すなわち、利用側膨張弁（53）を経由して冷媒を流すことができない場合であっても、バイパス配管（70）を開状態に設定することによって液側連絡配管（13）と利用側熱交換器（51）との間に冷媒を流すことができる。
【０００９】
第２の発明は、上記第１の発明において、上記切換機構（54）は、開状態と閉状態とに切り換え可能に構成されて上記バイパス配管（70）に設けられるバイパス開閉弁（71）を有していることを特徴とする冷凍装置である。
【００１０】
上記第２の発明では、バイパス開閉弁（71）を開状態に設定することにより、バイパス配管（70）を開状態に設定することができ、バイパス開閉弁（71）を閉状態に設定することにより、バイパス配管（70）を閉状態にすることができる。
【００１１】
第３の発明は、上記第２の発明において、上記切換機構（54）は、上記バイパス配管（70）に設けられて上記利用側熱交換器（51）側から上記液側連絡配管（13）側へ向かう冷媒の流れのみを許容するバイパス逆止弁（72）を有していることを特徴とする冷凍装置である。
【００１２】
上記第３の発明では、バイパス配管（70）において液側連絡配管（13）側から利用側熱交換器（51）側への冷媒の流れを阻止することができる。これにより、液側連絡配管（13）から開状態の主配管（60）を経由して利用側熱交換器（51）に冷媒を流す場合に、バイパス配管（70）を経由した冷媒の漏れ（すなわち、液側連絡配管（13）からバイパス配管（70）を経由して利用側熱交換器（51）に冷媒が流れてしまうこと）を防止することができる。
【００１３】
第４の発明は、上記第１〜第３の発明のいずれか１つにおいて、上記切換機構（54）は、上記主配管（60）に設けられて上記液側連絡配管（13）側から上記利用側熱交換器（51）側へ向かう冷媒の流れのみを許容する利用側逆止弁（62）を有していることを特徴とする冷凍装置である。
【００１４】
上記第４の発明では、主配管（60）において利用側熱交換器（51）側から液側連絡配管（13）側への冷媒の流れを阻止することができる。これにより、利用側熱交換器（51）から開状態のバイパス配管（70）を経由して液側連絡配管（13）に冷媒を流す場合に、主配管（60）を経由した冷媒の漏れ（すなわち、利用側熱交換器（51）から主配管（60）を経由して液側連絡配管（13）に冷媒が流れてしまうこと）を防止することができる。
【００１５】
第５の発明は、上記第１〜第４の発明のいずれか１つにおいて、上記複数の利用側ユニット（12）の利用側熱交換器（51）が凝縮器となり上記熱源側熱交換器（23）が蒸発器となるように上記冷媒回路（15）において冷媒が循環する除霜運転が開始されると、該複数の利用側ユニット（12）の各々において上記主配管（60）が閉状態となり上記バイパス配管（70）が開状態となるように上記切換機構（54）を制御する制御部（80）を備えていることを特徴とする冷凍装置である。
【００１６】
上記第５の発明では、除霜運転を開始する場合に主配管（60）を閉状態にしてバイパス配管（70）を開状態にすることにより、ガス側連絡配管（14）から利用側熱交換器（51）とバイパス配管（70）とを順に経由して液側連絡配管（13）に至る冷媒の流路を確保することができる。これにより、ガス側連絡配管（14）から利用側熱交換器（51）に冷媒（高温高圧の冷媒）を供給することができる。
【００１７】
第６の発明は、上記第５の発明において、上記制御部（80）は、上記除霜運転の開始後に上記複数の利用側ユニット（12）のいずれかにおいて上記利用側熱交換器（51）の除霜が完了すると、該利用側熱交換器（51）の除霜が完了した利用側ユニット（12）において上記バイパス配管（70）が開状態から閉状態に切り換わるように上記切換機構（54）を制御することを特徴とする冷凍装置である。
【００１８】
上記第６の発明では、利用側熱交換器（51）の除霜が完了した利用側ユニット（12）においてガス側連絡配管（14）から利用側熱交換器（51）への冷媒（高温高圧の冷媒）の供給を阻止することができる。これにより、利用側熱交換器（51）の除霜が完了していない利用側ユニット（12）においてガス側連絡配管（14）から利用側熱交換器（51）への冷媒（高温高圧の冷媒）の供給を促進させることができる。
【００１９】
第７の発明は、熱源側熱交換器（23）を有する熱源側ユニット（11）と、それぞれが利用側熱交換器（51）と膨張弁回路部（52）とを有し、液側連絡配管（13）およびガス側連絡配管（14）を介して上記熱源側ユニット（11）とそれぞれ並列に接続されて冷媒が循環する冷媒回路（15）を構成する複数の利用側ユニット（12）と、制御部（80）とを備え、上記膨張弁回路部（52）は、感温式の利用側膨張弁（53）と、上記利用側膨張弁（53）を経由して上記利用側熱交換器（51）と上記液側連絡配管（13）との間に冷媒を流すための主配管（60）と、上記主配管（60）を迂回して上記利用側熱交換器（51）と上記液側連絡配管（13）との間に冷媒を流すためのバイパス配管（70）と、上記主配管（60）の開閉および上記バイパス配管（70）の開閉を切り換える切換機構（54）とを有し、上記制御部（80）は、上記複数の利用側ユニット（12）の利用側熱交換器（51）が凝縮器となり上記熱源側熱交換器（23）が蒸発器となるように上記冷媒回路（15）において冷媒が循環する除霜運転が開始されると、該複数の利用側ユニット（12）の各々において上記主配管（60）が閉状態となり上記バイパス配管（70）が開状態となるように上記切換機構（54）を制御し、上記除霜運転の開始後に上記複数の利用側ユニット（12）のいずれかにおいて上記利用側熱交換器（51）の除霜が完了すると、該利用側熱交換器（51）の除霜が完了した利用側ユニット（12）において上記バイパス配管（70）が開状態から閉状態に切り換わるように上記切換機構（54）を制御することを特徴とする冷凍装置である。
【００２０】
上記第７の発明では、利用側熱交換器（51）の除霜が完了した利用側ユニット（12）においてガス側連絡配管（14）から利用側熱交換器（51）への冷媒（高温高圧の冷媒）の供給を阻止することができる。これにより、利用側熱交換器（51）の除霜が完了していない利用側ユニット（12）においてガス側連絡配管（14）から利用側熱交換器（51）への冷媒（高温高圧の冷媒）の供給を促進させることができる。
【００２１】
第８の発明は、上記第６または第７の発明において、上記制御部（80）は、上記複数の利用側ユニット（12）のうち上記利用側熱交換器（51）の除霜が完了していない利用側ユニット（12）において上記バイパス配管（70）が開状態に維持されるように上記切換機構（54）を制御する一方で、該利用側熱交換器（51）の除霜が完了している利用側ユニット（12）において該バイパス配管（70）が間欠的に開状態となるように該切換機構（54）を制御することを特徴とする冷凍装置である。
【００２２】
上記第８の発明では、利用側熱交換器（51）の除霜が完了している利用側ユニット（12）においてバイパス配管（70）を間欠的に開状態にすることにより、利用側熱交換器（51）の除霜が完了している利用側ユニット（12）において利用側熱交換器（51）内の冷媒をバイパス配管（70）を経由して液側連絡配管（13）に間欠的に放出することができる。
【発明の効果】
【００２３】
第１の発明によれば、利用側膨張弁（53）を経由して冷媒を流すことができない場合であっても、バイパス配管（70）を開状態に設定することによって液側連絡配管（13）と利用側熱交換器（51）との間に冷媒を流すことができるので、利用側ユニット（12）において液側連絡配管（13）と利用側熱交換器（51）との間に冷媒を任意に流すことができる。
【００２４】
第２の発明によれば、バイパス開閉弁（71）の開閉を切り換えることによってバイパス配管（70）の開閉を切り換えることができる。
【００２５】
第３の発明によれば、液側連絡配管（13）から開状態の主配管（60）を経由して利用側熱交換器（51）に冷媒を流す場合に、バイパス配管（70）を経由した冷媒の漏れを防止することができるので、主配管（60）を流れる冷媒の流量を確保することができる。
【００２６】
第４の発明によれば、利用側熱交換器（51）から開状態のバイパス配管（70）を経由して液側連絡配管（13）に冷媒を流す場合に、主配管（60）を経由した冷媒の漏れを防止することができるので、バイパス配管（70）を流れる冷媒の流量を確保することができる。
【００２７】
第５の発明によれば、除霜運転において、ガス側連絡配管（14）から利用側熱交換器（51）に冷媒（高温高圧の冷媒）を供給することができるので、高温高圧の冷媒を用いて利用側熱交換器（51）の除霜を行うことができる。
【００２８】
第６および第７の発明によれば、利用側熱交換器（51）の除霜が完了していない利用側ユニット（12）においてガス側連絡配管（14）から利用側熱交換器（51）への冷媒（高温高圧の冷媒）の供給を促進させることができるので、利用側熱交換器（51）の除霜が完了していない利用側ユニット（12）において利用側熱交換器（51）の除霜を促進させることができる。
【００２９】
第８の発明によれば、利用側熱交換器（51）の除霜が完了している利用側ユニット（12）において利用側熱交換器（51）内の冷媒をバイパス配管（70）を経由して液側連絡配管（13）に間欠的に放出することができるので、利用側熱交換器（51）の除霜が完了している利用側ユニット（12）において利用側熱交換器（51）内に冷媒が溜まり込むことを防止することができる。
【図面の簡単な説明】
【００３０】
【図１】図１は、実施形態による冷凍装置の構成例を示した配管系統図である。
【図２】図２は、図１に示した冷凍装置における冷却運転について説明するための配管系統図である。
【図３】図３は、図１に示した冷凍装置における除霜運転について説明するための配管系統図である。
【図４】図４は、利用側ユニットの変形例を示した配管系統図である。
【図５】図５は、図４に示した利用側ユニットを備えた冷凍装置における冷却運転について説明するための配管系統図である。
【図６】図６は、図４に示した利用側ユニットを備えた冷凍装置における除霜運転について説明するための配管系統図である。
【発明を実施するための形態】
【００３１】
以下、実施の形態を図面を参照して詳しく説明する。なお、図中同一または相当部分には同一の符号を付しその説明は繰り返さない。
【００３２】
（冷凍装置）
図１は、実施形態による冷凍装置（10）の構成例を示している。冷凍装置（10）は、庫外に設けられる熱源側ユニット（11）と、冷蔵庫や冷凍庫などの庫内に設けられる複数（この例では２つ）の利用側ユニット（12）と、コントローラ（80）とを備えている。熱源側ユニット（11）には、熱源側回路（16）と熱源側ファン（17）とが設けられ、各利用側ユニット（12）には、利用側回路（18）と利用側ファン（19）とが設けられている。この冷凍装置（10）では、熱源側ユニット（11）の熱源側回路（16）と複数の利用側ユニット（12）の利用側回路（18）とが液側連絡配管（13）およびガス側連絡配管（14）によって接続されて、冷媒が循環して蒸気圧縮式の冷凍サイクルが行われる冷媒回路（15）が構成されている。具体的には、熱源側回路（16）の液端およびガス端に液閉鎖弁（V1）およびガス閉鎖弁（V2）がそれぞれ設けられ、液閉鎖弁（V1）およびガス閉鎖弁（V2）に液側連絡配管（13）の一端およびガス側連絡配管（14）の一端がそれぞれ接続され、液側連絡配管（13）およびガス側連絡配管（14）に各利用側回路（18）の液端およびガス端がそれぞれ接続されている。すなわち、複数の利用側ユニット（12）は、液側連絡配管（13）およびガス側連絡配管（14）を介して熱源側ユニット（11）とそれぞれ並列に接続されて、冷媒が循環する冷媒回路（15）を構成している。
【００３３】
〈熱源側回路〉
熱源側回路（16）は、第１および第２圧縮機（21a,21b）と、四方切換弁（22）と、熱源側熱交換器（23）と、過冷却熱交換器（24）と、過冷却膨張弁（31）と、中間膨張弁（32）と、中間開閉弁（33）と、中間逆止弁（34）と、レシーバ（35）と、熱源側膨張弁（36）と、第１，第２，第３逆止弁（CV1,CV2,CV3）と、第１および第２油分離器（OSa,OSb）と、第１および第２吐出逆止弁（CVa,CVb）と、第１および第２キャピラリチューブ（CTa,CTb）と、油分離逆止弁（CVc）とを有している。
【００３４】
また、熱源側回路（16）には、吐出冷媒配管（41）と、吸入冷媒配管（42）と、熱源側液冷媒配管（43）と、インジェクション配管（44）と、第１および第２接続配管（45,46）と、油戻し配管（47）とが設けられている。
【００３５】
《圧縮機》
第１圧縮機（21a）は、吸入した冷媒を圧縮して吐出するように構成されている。また、第１圧縮機（21a）には、吸入ポートと、中間ポートと、吐出ポートとが設けられている。吸入ポートは、第１圧縮機（21a）の吸入行程において圧縮室（すなわち、低圧の圧縮室）と連通するように形成されている。中間ポートは、第１圧縮機（21a）の圧縮行程の途中において圧縮室（すなわち、中間圧の圧縮室）と連通するように形成されている。吐出ポートは、第１圧縮機（21a）の吐出行程において圧縮室（すなわち、高圧の圧縮室）と連通するように構成されている。例えば、第１圧縮機（21a）は、互いに歯合する固定スクロールおよび可動スクロールの間に圧縮室が構成されるスクロール式の圧縮機によって構成されている。第２圧縮機（21b）は、第１圧縮機（21a）の構成と同様の構成を有している。
【００３６】
なお、第１圧縮機（21a）は、その運転周波数（容量）が可変に構成されている。すなわち、第１圧縮機（21a）は、インバータ（図示を省略）の出力周波数を変化させることで、その内部に設けられた電動機の回転数が変化し、その運転周波数が変化するように構成されている。一方、第２圧縮機（21b）は、その運転周波数（容量）が固定されている。すなわち、第２圧縮機（21b）は、その内部に設けられた電動機の回転数が一定であり、その運転周波数が一定となっている。
【００３７】
《四方切換弁》
四方切換弁（22）は、第１ポートと第３ポートとが連通し且つ第２ポートと第４ポートとが連通する第１状態（図１の実線で示された状態）と、第１ポートと第４ポートとが連通し且つ第２ポートと第３ポートとが連通する第２状態（図１の破線で示された状態）とに切り換え可能に構成されている。
【００３８】
四方切換弁（22）の第１ポートは、吐出冷媒配管（41）によって第１および第２圧縮機（21a,21b）の吐出ポートに接続され、四方切換弁（22）の第２ポートは、吸入冷媒配管（42）によって第１および第２圧縮機（21a,21b）の吸入ポートに接続されている。四方切換弁（22）の第３ポートは、熱源側熱交換器（23）のガス端に接続され、四方切換弁（22）の第４ポートは、ガス閉鎖弁（V2）に接続されている。
【００３９】
《吐出冷媒配管》
吐出冷媒配管（41）は、一端が第１および第２圧縮機（21a,21b）の吐出ポートに接続される第１および第２吐出管（41a,41b）と、第１および第２吐出管（41a,41b）の他端と四方切換弁（22）の第１ポートとを接続する吐出主管（41c）とによって構成されている。
【００４０】
《吸入冷媒配管》
吸入冷媒配管（42）は、一端が第１および第２圧縮機（21a,21b）の吸入ポートにそれぞれ接続される第１および第２吸入管（42a,42b）と、第１および第２吸入管（42a,42b）の他端と四方切換弁（22）の第２ポートとを接続する吸入主管（42c）とによって構成されている。
【００４１】
《熱源側熱交換器》
熱源側熱交換器（23）は、その液端が熱源側液冷媒配管（43）の一端に接続され、そのガス端が四方切換弁（22）の第３ポートに接続されている。また、熱源側熱交換器（23）の近傍には、熱源側ファン（17）が配置されている。そして、熱源側熱交換器（23）は、冷媒と熱源側ファン（17）によって搬送された熱源側空気（すなわち、庫外空気）とを熱交換させるように構成されている。例えば、熱源側熱交換器（23）は、クロスフィン式のフィン・アンド・チューブ型熱交換器によって構成されている。
【００４２】
《熱源側液冷媒配管》
熱源側液冷媒配管（43）は、その一端が熱源側熱交換器（23）に接続され、その他端が液閉鎖弁（V1）に接続されている。この例では、熱源側液冷媒配管（43）は、熱源側熱交換器（23）の液端とレシーバ（35）とを接続する第１熱源側液管（43a）と、レシーバ（35）と過冷却熱交換器（24）とを接続する第２熱源側液管（43b）と、過冷却熱交換器（24）と液閉鎖弁（V1）とを接続する第３熱源側液管（43c）とによって構成されている。
【００４３】
《インジェクション配管》
インジェクション配管（44）は、熱源側液冷媒配管（43）の第１中途部（Q1）と第１および第２圧縮機（21a,21b）の中間ポートとを接続している。この例では、インジェクション配管（44）は、熱源側液冷媒配管（43）の第１中途部（Q1）と過冷却熱交換器（24）とを接続する第１インジェクション主管（44m）と、一端が過冷却熱交換器（24）に接続される第２インジェクション主管（44n）と、第２インジェクション主管（44n）の他端と第１および第２圧縮機（21a,21b）の中間ポートとをそれぞれ接続する第１および第２インジェクション分岐管（44a,44b）とによって構成されている。
【００４４】
《過冷却熱交換器》
過冷却熱交換器（24）は、熱源側液冷媒配管（43）とインジェクション配管（44）とに接続され、熱源側液冷媒配管（43）を流れる冷媒とインジェクション配管（44）を流れる冷媒とを熱交換させるように構成されている。この例では、過冷却熱交換器（24）は、第２熱源側液管（43b）と第３熱源側液管（43c）との間に接続される第１流路（24a）と、第１インジェクション主管（44m）と第２インジェクション主管（44n）との間に接続される第２流路（24b）とを有し、第１流路（24a）を流れる冷媒と第２流路（24b）を流れる冷媒とを熱交換させるように構成されている。例えば、過冷却熱交換器（24）は、プレート型熱交換器によって構成されている。
【００４５】
《過冷却膨張弁》
過冷却膨張弁（31）は、インジェクション配管（44）において熱源側液冷媒配管（43）の第１中途部（Q1）と過冷却熱交換器（24）との間（この例では、第１インジェクション主管（44m））に設けられている。また、過冷却膨張弁（31）は、その開度を調節可能に構成されている。例えば、過冷却膨張弁（31）は、電子膨張弁（電動弁）によって構成されている。
【００４６】
《中間膨張弁》
中間膨張弁（32）は、インジェクション配管（44）において過冷却熱交換器（24）と第１圧縮機（21a）の中間ポートとの間（この例では、第１インジェクション分岐管（44a））に設けられている。また、中間膨張弁（32）は、その開度を調節可能に構成されている。例えば、中間膨張弁（32）は、電子膨張弁（電動弁）によって構成されている。
【００４７】
《中間開閉弁と中間逆止弁》
中間開閉弁（33）および中間逆止弁（34）は、インジェクション配管（44）において過冷却熱交換器（24）と第２圧縮機（21b）の中間ポートとの間（この例では、第２インジェクション分岐管（44b））に設けられている。第２インジェクション分岐管（44b）では、第２インジェクション分岐管（44b）の入口側から出口側へ向けて中間開閉弁（33）と中間逆止弁（34）とが順に配置されている。
【００４８】
中間開閉弁（33）は、その開閉を切り換え可能に構成されている。例えば、中間開閉弁（33）は、電磁弁によって構成されている。中間逆止弁（34）は、第２インジェクション分岐管（44b）の入口側から出口側へ向かう冷媒の流れを許容し、その逆方向の冷媒の流れを阻止するように構成されている。
【００４９】
《レシーバ》
レシーバ（35）は、熱源側液冷媒配管（43）において熱源側熱交換器（23）と過冷却熱交換器（24）との間に接続され、凝縮器（具体的には、熱源側熱交換器（23）または後述の利用側熱交換器（51））において凝縮した冷媒を一時的に貯留することができるように構成されている。この例では、レシーバ（35）は、その入口に第１熱源側液管（43a）が接続され、その出口に第２熱源側液管（43b）が接続されている。
【００５０】
《第１接続配管》
第１接続配管（45）は、熱源側液冷媒配管（43）の第２中途部（Q2）と第３中途部（Q3）とを接続している。第２中途部（Q2）は、熱源側液冷媒配管（43）において第１中途部（Q1）と液閉鎖弁（V1）との間に位置し、第３中途部（Q3）は、熱源側液冷媒配管（43）において熱源側熱交換器（23）の液端とレシーバ（35）との間に位置する。
【００５１】
《第２接続配管》
第２接続配管（46）は、熱源側液冷媒配管（43）の第４中途部（Q4）と第５中途部（Q5）とを接続している。第４中途部（Q4）は、熱源側液冷媒配管（43）において第１中途部（Q1）と第２中途部（Q2）の間に位置し、第５中途部（Q5）は、熱源側液冷媒配管（43）において熱源側熱交換器（23）の液端と第３中途部（Q3）との間に位置する。
【００５２】
《熱源側膨張弁》
熱源側膨張弁（36）は、第２接続配管（46）に設けられている。また、熱源側膨張弁（36）は、その開度を調節可能に構成されている。例えば、熱源側膨張弁（36）は、電子膨張弁（電動弁）によって構成されている。
【００５３】
《第１逆止弁》
第１逆止弁（CV1）は、熱源側液冷媒配管（43）の第３中途部（Q3）と第５中途部（Q5）との間に設けられ、第５中途部（Q5）から第３中途部（Q3）へ向かう冷媒の流れを許容し、その逆方向の冷媒の流れを阻止するように構成されている。
【００５４】
《第２逆止弁》
第２逆止弁（CV2）は、熱源側液冷媒配管（43）の第２中途部（Q2）と第４中途部（Q4）との間に設けられ、第４中途部（Q4）から第２中途部（Q2）へ向かう冷媒の流れを許容し、その逆方向の冷媒の流れを阻止するように構成されている。
【００５５】
《第３逆止弁》
第３逆止弁（CV3）は、第１接続配管（45）に設けられ、熱源側液冷媒配管（43）の第２中途部（Q2）から第３中途部（Q3）へ向かう冷媒の流れを許容し、その逆方向の冷媒の流れを阻止するように構成されている。
【００５６】
《第１油分離器と第１吐出逆止弁》
第１油分離器（OSa）および第１吐出逆止弁（CVa）は、吐出冷媒配管（41）において第１圧縮機（21a）と四方切換弁（22）の第１ポートとの間（具体的には、第１吐出管（41a））に設けられている。第１吐出管（41a）では、第１吐出管（41a）の入口側から出口側へ向けて第１油分離器（OSa）と第１吐出逆止弁（CVa）とが順に配置されている。第１油分離器（OSa）は、第１圧縮機（21a）から吐出された冷媒から冷凍機油を分離して内部に貯留することができるように構成されている。第１吐出逆止弁（CVa）は、第１吐出管（41a）の入口側から出口側へ向かう冷媒の流れを許容し、その逆方向の冷媒の流れを阻止するように構成されている。
【００５７】
《第２油分離器と第２吐出逆止弁》
第２油分離器（OSb）は、吐出冷媒配管（41）において第２圧縮機（21b）と四方切換弁（22）の第１ポートとの間（具体的には、第２吐出管（41b））に設けられている。第２吐出管（41b）では、第２吐出管（41b）の入口側から出口側へ向けて第２油分離器（OSb）と第２吐出逆止弁（CVb）とが順に配置されている。第２油分離器（OSb）は、第２圧縮機（21b）から吐出された冷媒から冷凍機油を分離して内部に貯留することができるように構成されている。第２吐出逆止弁（CVb）は、第２吐出管（41b）の入口側から出口側へ向かう冷媒の流れを許容し、その逆方向の冷媒の流れを阻止するように構成されている。
【００５８】
《油戻し配管》
油戻し配管（47）は、第１および第２油分離器（OSa,OSb）に貯留された冷凍機油をインジェクション配管（44）に供給するための配管である。この例では、油戻し配管（47）は、一端が第１および第２油分離器（OSa,OSb）に接続される第１および第２油戻し管（47a,47b）と、第１および第２油戻し管（47a,47b）の他端とインジェクション配管（44）の中途部（具体的には、第２インジェクション主管（44n）の中途部（Q6））とを接続する油戻し主管（47c）とによって構成されている。
【００５９】
《第１キャピラリチューブ》
第１キャピラリチューブ（CTa）は、油戻し配管（47）において第１油分離器（OSa）とインジェクション配管（44）の中途部（Q6）との間（具体的には、第１油戻し管（47a））に設けられている。
【００６０】
《第２キャピラリチューブと油戻し逆止弁》
第２キャピラリチューブ（CTb）および油戻し逆止弁（CVc）は、油戻し配管（47）において第２油分離器（OSb）とインジェクション配管（44）の中途部（Q6）との間（具体的には、第２油戻し管（47b））に設けられている。第２油戻し管（47b）では、第２油戻し管（47b）の入口側から出口側へ向けて油戻し逆止弁（CVc）と第２キャピラリチューブ（CTb）とが順に配置されている。油戻し逆止弁（CVc）は、第２油戻し管（47b）の入口側から出口側へ向かう冷媒の流れを許容し、その逆方向の冷媒の流れを阻止するように構成されている。
【００６１】
〈利用側回路〉
利用側回路（18）は、利用側熱交換器（51）と、利用側膨張弁（53）を含む膨張弁回路部（52）とを有している。また、利用側回路（18）には、利用側液冷媒配管（56）と、利用側ガス冷媒配管（57）とが設けられている。利用側液冷媒配管（56）は、その一端が液側連絡配管（13）に接続され、その他端が利用側熱交換器（51）の液端に接続されている。利用側ガス冷媒配管（57）は、その一端が利用側熱交換器（51）のガス端に接続され、その他端がガス側連絡配管（14）に接続されている。
【００６２】
《利用側熱交換器》
利用側熱交換器（51）は、その液端が利用側液冷媒配管（56）によって液側連絡配管（13）に接続され、そのガス端が利用側ガス冷媒配管（57）によってガス側連絡配管（14）に接続されている。また、利用側熱交換器（51）の近傍には、利用側ファン（19）が配置されている。そして、利用側熱交換器（51）は、冷媒と利用側ファン（19）によって搬送された利用側空気（すなわち、庫内空気）とを熱交換させるように構成されている。例えば、利用側熱交換器（51）は、クロスフィン式のフィン・アンド・チューブ型熱交換器によって構成されている。
【００６３】
《膨張弁回路部》
膨張弁回路部（52）は、利用側熱交換器（51）の液端と液側連絡配管（13）との間に接続されている。この例では、膨張弁回路部（52）は、利用側液冷媒配管（56）に設けられている。また、膨張弁回路部（52）は、利用側膨張弁（53）と、主配管（60）と、バイパス配管（70）と、切換機構（54）とを有している。
【００６４】
−利用側膨張弁−
利用側膨張弁（53）は、感温式の膨張弁である。具体的には、利用側膨張弁（53）は、温度自動膨張弁によって構成されている。この例では、利用側膨張弁（53）は、外部均圧形温度自動膨張弁によって構成されている。具体的には、利用側膨張弁（53）は、利用側ガス冷媒配管（57）に取り付けられる感温筒（53a）と、利用側ガス冷媒配管（57）の中途部に接続される均圧管（53b）とを有し、感温筒（53a）の温度と均圧管（53b）の冷媒圧力とに応じて開度が調節される。なお、感温筒（53a）には、冷媒回路（20）の循環する冷媒と同一の冷媒が充填されている。したがって、感温筒（53a）内の冷媒圧力は、利用側ガス冷媒配管（57）における冷媒の温度に対応した飽和圧力となる。
【００６５】
−主配管−
主配管（60）は、利用側膨張弁（53）を経由して利用側熱交換器（51）と液側連絡配管（13）との間に冷媒を流すための配管である。主配管（60）には、利用側膨張弁（53）が設けられている。この例では、主配管（60）は、利用側液冷媒配管（56）の一部を構成している。すなわち、主配管（60）は、その一端が液側連絡配管（13）に接続され、その他端が利用側熱交換器（51）の液端に接続されている。
【００６６】
−バイパス配管−
バイパス配管（70）は、主配管（60）を迂回して利用側熱交換器（51）と液側連絡配管（13）との間に冷媒を流すための配管である。この例では、バイパス配管（70）は、利用側液冷媒配管（56）の一部を構成する主配管（60）と並列に接続されている。すなわち、バイパス配管（70）は、その一端が液側連絡配管（13）に接続され、その他端が利用側熱交換器（51）の液端に接続されている。
【００６７】
−切換機構−
切換機構（54）は、主配管（60）の開閉（開状態/閉状態）およびバイパス配管（70）の開閉（開状態/閉状態）を切り換えるように構成されている。この例では、切換機構（54）は、主配管（60）の開閉を切り換えるために設けられた利用側開閉弁（61）と、利用側逆止弁（62）と、バイパス配管（70）の開閉を切り換えるために設けられたバイパス開閉弁（71）と、バイパス逆止弁（72）とを有している。
【００６８】
−利用側開閉弁−
利用側開閉弁（61）は、開状態と閉状態とに切り換え可能に構成されている。この例では、利用側開閉弁（61）は、電磁弁によって構成されている。そして、利用側開閉弁（61）は、主配管（60）に設けられている。この例では、利用側開閉弁（61）は、主配管（60）において利用側膨張弁（53）と液側連絡配管（13）との間に設けられている。
【００６９】
−利用側逆止弁−
利用側逆止弁（62）は、主配管（60）に設けられて液側連絡配管（13）側から利用側熱交換器（51）側へ向かう冷媒の流れのみを許容するように構成されている。この例では、利用側逆止弁（62）は、主配管（60）において利用側熱交換器（51）と利用側膨張弁（53）との間に設けられて利用側膨張弁（53）から利用側熱交換器（51）へ向かう冷媒の流れのみを許容するように構成されている。
【００７０】
−バイパス開閉弁−
バイパス開閉弁（71）は、開状態と閉状態とに切り換え可能に構成されている。この例では、バイパス開閉弁（71）は、電磁弁によって構成されている。そして、バイパス開閉弁（71）は、バイパス配管（70）に設けられている。
【００７１】
−バイパス逆止弁−
バイパス逆止弁（72）は、バイパス配管（70）に設けられて利用側熱交換器（51）側から液側連絡配管（13）側へ向かう冷媒の流れのみを許容するように構成されている。この例では、バイパス逆止弁（72）は、バイパス配管（70）においてバイパス開閉弁（71）と液側連絡配管（13）との間に設けられてバイパス開閉弁（71）から液側連絡配管（13）へ向かう冷媒の流れのみを許容するように構成されている。
【００７２】
〈各種センサ〉
冷凍装置（10）には、温度センサや圧力センサなどの各種センサが設けられている。この例では、利用側ユニット（12）に冷媒温度センサ（81）が設けられている。冷媒温度センサ（81）は、除霜運転における利用側熱交換器（51）の出口冷媒温度（すなわち、除霜運転において利用側熱交換器（51）から流出した冷媒の温度）を検出するように構成されている。この例では、冷媒温度センサ（81）は、利用側液冷媒配管（56）において膨張弁回路部（52）と液側連絡配管（13）との間に設置され、除霜運転における設置場所の冷媒温度を除霜運転における利用側熱交換器（51）の出口冷媒温度として検出する。
【００７３】
〈コントローラ（制御部）〉
コントローラ（80）は、冷凍装置（10）に設けられた各種センサの検出値や外部からの信号に基づいて冷凍装置（10）の各部を制御して冷凍装置（10）の運転動作を制御する。具体的には、コントローラ（80）は、熱源側ファン（17）と、利用側ファン（19）と、第１および第２圧縮機（21a,21b）と、四方切換弁（22）と、過冷却膨張弁（31）と、中間膨張弁（32）と、中間開閉弁（33）と、熱源側膨張弁（36）と、切換機構（54）（この例では、利用側開閉弁（61）とバイパス開閉弁（71））とを制御するように構成されている。
【００７４】
なお、コントローラ（80）は、熱源側ユニット（11）の各部を制御する熱源側コントローラと、複数の利用側ユニット（12）の各部をそれぞれ制御する複数の利用側コントローラとによって構成されていてもよい。熱源側コントローラおよび複数の利用側コントローラは、互いに通信可能に構成されている。
【００７５】
この例では、冷凍装置（10）において冷却運転と除霜運転とが選択的に行われる。冷却運転は、庫内を冷却するための運転であり、除霜運転は、利用側熱交換器（51）に付着した霜を融解させるための運転である。
【００７６】
〈冷却運転〉
次に、図２を参照して、冷却運転について説明する。冷却運転では、熱源側熱交換器（23）が凝縮器となり利用側熱交換器（51）が蒸発器となる冷凍サイクルが行われるように冷媒回路（20）において冷媒が循環する。
【００７７】
熱源側ユニット（11）では、四方切換弁（22）が第１状態に設定される。これにより、第１および第２圧縮機（21a,21b）の吐出ポートと熱源側熱交換器（23）のガス端とが連通し、第１および第２圧縮機（21a,21b）の吸入ポートとガス側連絡配管（14）とが連通する。また、第１および第２圧縮機（21a,21b）と熱源側ファン（17）が駆動状態に設定され、過冷却膨張弁（31）の開度と中間膨張弁（32）の開度が調節され、中間開閉弁（33）が開状態に設定され、熱源側膨張弁（36）が全閉状態に設定される。
【００７８】
利用側ユニット（12）では、利用側ファン（19）が駆動状態に設定される。また、バイパス開閉弁（71）が閉状態に設定されてバイパス配管（70）が閉状態（冷媒の流れを阻止することができる状態）となる。そして、庫内の冷却の要否に応じて利用側開閉弁（61）が開状態または閉状態に設定されて主配管（60）が開状態（冷媒を流すことができる状態）または閉状態となる。具体的には、コントローラ（80）は、庫内の冷却が必要である場合（例えば、庫内空気の温度が予め定められた目標冷却温度を上回る場合）に、利用側開閉弁（61）を開状態に設定して主配管（60）を開状態とし、庫内の冷却が不要である場合（例えば、庫内空気の温度が目標冷却温度を上回らない場合）に、利用側開閉弁（61）を閉状態に設定して主配管（60）を閉状態とする。また、利用側膨張弁（53）の感温筒（53a）の温度と均圧管（53b）の冷媒圧力とに応じて利用側膨張弁（53）の開度が自動的に調節される。なお、図２の例では、全ての利用側ユニット（12）において利用側開閉弁（61）が開状態に設定されて主配管（60）が開状態となっている。
【００７９】
第１および第２圧縮機（21a,21b）から吐出された冷媒は、吐出冷媒配管（41）において第１および第２油分離器（OSa,OSb）と第１および第２吐出逆止弁（CVa,CVb）とを通過した後に、四方切換弁（22）を通過して熱源側熱交換器（23）に流入し、熱源側熱交換器（23）において熱源側空気（すなわち、庫外空気）に放熱して凝縮する。熱源側熱交換器（23）から流出した冷媒（高圧冷媒）は、第１熱源側液管（43a）において第１逆止弁（CV1）を通過した後に、レシーバ（35）と第２熱源側液管（43b）と順に通過して過冷却熱交換器（24）の第１流路（24a）に流入し、過冷却熱交換器（24）の第２流路（24b）を流れる冷媒（中間圧冷媒）に吸熱されて過冷却される。過冷却熱交換器（24）の第１流路（24a）から流出した冷媒は、第３熱源側液管（43c）に流入し、その一部が第１インジェクション主管（44m）に流入し、その残部が第３熱源側液管（43c）において第２逆止弁（CV2）を通過した後に液閉鎖弁（V1）を通過して液側連絡配管（13）に流入する。
【００８０】
第１インジェクション主管（44m）に流入した冷媒は、過冷却膨張弁（31）において減圧されて過冷却熱交換器（24）の第２流路（24b）に流入し、過冷却熱交換器（24）の第１流路（24a）を流れる冷媒（高圧冷媒）から吸熱する。過冷却熱交換器（24）の第２流路（24b）から流出した冷媒は、第２インジェクション主管（44n）を通過し、その一部が第１インジェクション分岐管（44a）に流入し、その残部が第２インジェクション分岐管（44b）に流入する。第１インジェクション分岐管（44a）に流入した冷媒は、中間膨張弁（32）において減圧されて第１圧縮機（21a）の中間ポートに流入する。第２インジェクション分岐管（44b）に流入した冷媒は、中間開閉弁（33）と中間逆止弁（34）とを順に通過して第２圧縮機（21b）の中間ポートに流入する。中間ポートを通過して第１および第２圧縮機（21a,21b）内に流入した冷媒は、第１および第２圧縮機（21a,21b）内の冷媒（具体的には、圧縮室内の冷媒）と混合される。すなわち、第１および第２圧縮機（21a,21b）内の冷媒が冷却されながら圧縮される。
【００８１】
液側連絡配管（13）に流入した冷媒は、利用側開閉弁（61）が開状態に設定されて主配管（60）が開状態となっている利用側ユニット（12）に流入する。利用側開閉弁（61）が開状態に設定されて主配管（60）が開状態となっている利用側ユニット（12）では、液側連絡配管（13）から主配管（60）に流入した冷媒は、開状態となっている利用側開閉弁（61）を通過して利用側膨張弁（53）において減圧され、その後、利用側逆止弁（62）を通過して利用側熱交換器（51）に流入し、利用側熱交換器（51）において利用側空気（すなわち、庫内空気）から吸熱して蒸発する。これにより、利用側空気が冷却される。利用側熱交換器（51）から流出した冷媒は、利用側ガス冷媒配管（57）とガス側連絡配管（14）と熱源側ユニット（11）のガス閉鎖弁（V2）と四方切換弁（22）と吸入冷媒配管（42）とを順に通過して第１および第２圧縮機（21a,21b）の吸入ポートに吸入される。
【００８２】
また、第１および第２油分離器（OSa,OSb）では、冷媒（すなわち、第１および第２圧縮機（21a,21b）から吐出された冷媒）から冷凍機油が分離され、その冷凍機油が第１および第２油分離器（OSa,OSb）に貯留される。第１油分離器（OSa）に貯留された冷凍機油は、第１油戻し管（47a）において第１キャピラリチューブ（CTa）を通過した後に、油戻し主管（47c）に流入する。第２油分離器（OSb）に貯留された冷凍機油は、第２油戻し管（47b）において油戻し逆止弁（CVc）と第２キャピラリチューブ（CTb）とを順に通過した後に、油戻し主管（47c）に流入する。油戻し主管（47c）に流入した冷凍機油は、第２インジェクション主管（44n）に流入して第２インジェクション主管（44n）を流れる冷媒と合流する。
【００８３】
なお、利用側ユニット（12）において利用側開閉弁（61）が閉状態に設定されて主配管（60）が閉状態となっている場合、その利用側ユニット（12）の利用側熱交換器（51）には冷媒が流れない。
【００８４】
〈除霜運転〉
次に、図３を参照して、除霜運転について説明する。除霜運転では、利用側熱交換器（51）が凝縮器となり熱源側熱交換器（23）が蒸発器となる冷凍サイクルが行われるように冷媒回路（20）において冷媒が循環する。
【００８５】
熱源側ユニット（11）では、四方切換弁（22）が第２状態に設定される。これにより、第１および第２圧縮機（21a,21b）の吐出ポートとガス側連絡配管（14）とが連通し、第１および第２圧縮機（21a,21b）の吸入ポートと熱源側熱交換器（23）のガス端とが連通する。また、第１および第２圧縮機（21a,21b）と熱源側ファン（17）が駆動状態に設定され、過冷却膨張弁（31）と中間膨張弁（32）が全閉状態に設定され、中間開閉弁（33）が閉状態に設定され、熱源側膨張弁（36）の開度が調節される。
【００８６】
利用側ユニット（12）では、利用側ファン（19）が停止状態に設定される。また、利用側開閉弁（61）が閉状態に設定されて主配管（60）が閉状態となる。そして、利用側熱交換器（51）の除霜の状況に応じてバイパス開閉弁（71）が開状態または閉状態に設定されてバイパス配管（70）が開状態または閉状態となる。なお、除霜運転における切換機構（54）の制御（バイパス配管（70）の開閉）については、後で詳しく説明する。また、利用側膨張弁（53）の感温筒（53a）の温度と均圧管（53b）の冷媒圧力とに応じて利用側膨張弁（53）の開度が自動的に調節される。なお、図３の例では、全ての利用側ユニット（12）においてバイパス開閉弁（71）が開状態に設定されてバイパス配管（70）が開状態となっている。
【００８７】
第１および第２圧縮機（21a,21b）から吐出された冷媒は、吐出冷媒配管（41）において第１および第２油分離器（OSa,OSb）と第１および第２吐出逆止弁（CVa,CVb）を通過した後に、四方切換弁（22）とガス閉鎖弁（V2）とを順に通過してガス側連絡配管（14）に流入する。
【００８８】
ガス側連絡配管（14）に流入した冷媒は、バイパス開閉弁（71）が開状態に設定されてバイパス配管（70）が開状態となっている利用側ユニット（12）に流入する。バイパス開閉弁（71）が開状態に設定されてバイパス配管（70）が開状態となっている利用側ユニット（12）では、ガス側連絡配管（14）から流入した冷媒は、利用側ガス冷媒配管（57）を通過して利用側熱交換器（51）に流入し、利用側熱交換器（51）において放熱して凝縮する。これにより、利用側熱交換器（51）に付着した霜が加熱されて融解する。利用側熱交換器（51）から流出した冷媒は、バイパス配管（70）において開状態のバイパス開閉弁（71）とバイパス逆止弁（72）とを順に通過して液側連絡配管（13）に流入する。
【００８９】
液側連絡配管（13）を通過した冷媒は、熱源側ユニット（11）の液閉鎖弁（V1）を通過して第３熱源側液管（43c）に流入する。第３熱源側液管（43c）に流入した冷媒は、第２中途部（Q2）において第１接続配管（45）に流入し、第１接続配管（45）において第２逆止弁（CV2）を通過して第１熱源側液管（43a）の中途部（第３中途部（Q3））に流入する。第１熱源側液管（43a）の中途部に流入した冷媒は、レシーバ（35）と第２熱源側液管（43b）と過冷却熱交換器（24）の第１流路（24a）とを順に通過して第３熱源側液管（43c）に流入する。第３熱源側液管（43c）に流入した冷媒は、第４中途部（Q4）において第２接続配管（46）に流入し、熱源側膨張弁（36）において減圧されて第１熱源側液管（43a）の中途部（第５中途部（Q5））に流入する。第１熱源側液管（43a）の中途部に流入した冷媒は、熱源側熱交換器（23）に流入し、熱源側熱交換器（23）において熱源側空気（すなわち、庫外空気）から吸熱して蒸発する。熱源側熱交換器（23）から流出した冷媒は、四方切換弁（22）と吸入冷媒配管（42）とを順に通過して第１および第２圧縮機（21a,21b）の吸入ポートに吸入される。
【００９０】
なお、利用側ユニット（12）においてバイパス開閉弁（71）が閉状態に設定されてバイパス配管（70）が閉状態となっている場合、その利用側ユニット（12）の利用側熱交換器（51）には冷媒が流れない。
【００９１】
〈除霜運転における切換機構の制御〉
次に、除霜運転における切換機構（54）の制御（バイパス配管（70）の開閉）について説明する。この例では、バイパス開閉弁（71）を開状態に設定することにより、バイパス配管（70）が開状態に設定され、バイパス開閉弁（71）を閉状態に設定することにより、バイパス配管（70）が閉状態に設定される。
【００９２】
まず、コントローラ（80）は、除霜運転が開始されるように冷凍装置（10）の各部を制御する。例えば、コントローラ（80）は、冷却運転を開始した後に予め定められた時間（冷却運転時間）が経過すると、冷却運転が終了して除霜運転が開始されるように冷凍装置（10）の各部を制御する。
【００９３】
除霜運転が開始すると、コントローラ（80）は、複数の利用側ユニット（12）の各々において主配管（60）が閉状態となりバイパス配管（70）が開状態となるように切換機構（54）を制御する。これにより、ガス側連絡配管（14）から複数の利用側ユニット（12）の各々に冷媒（高温高圧の冷媒）が供給されて、複数の利用側ユニット（12）の各々において高温高圧の冷媒を用いた利用側熱交換器（51）の除霜が開始される。
【００９４】
なお、利用側熱交換器（51）の利用状況（霜の付き方など）の違いや利用側熱交換器（51）の設置状況（配管や高低差など）の違いや利用側熱交換器（51）のサイズの違いなどの要因により、複数の利用側ユニット（12）において利用側熱交換器（51）の除霜完了のタイミングが異なることが予想される。
【００９５】
そのため、この実施形態による冷凍装置（10）では、コントローラ（80）は、除霜運転の開始後に複数の利用側ユニット（12）の各々に対して利用側熱交換器（51）の除霜が完了したか否かを監視し、複数の利用側ユニット（12）のいずれかにおいて利用側熱交換器（51）の除霜が完了すると、その利用側熱交換器（51）の除霜が完了した利用側ユニット（12）においてバイパス配管（70）が開状態から閉状態に切り換わるように切換機構（54）を制御する。例えば、コントローラ（80）は、複数の利用側ユニット（12）の各々に設けられた冷媒温度センサ（81）の検出値（除霜運転における利用側熱交換器（51）の出口冷媒温度）を監視し、冷媒温度センサ（81）の検出値が予め定められた除霜完了温度を上回ると、その冷媒温度センサ（81）が設けられた利用側ユニット（12）において利用側熱交換器（51）の除霜が完了しているとみなすように構成されている。なお、除霜完了温度は、利用側熱交換器（51）の除霜が完了しているとみなすことができる場合に利用側熱交換器（51）から流出される冷媒の温度に設定されている。
【００９６】
また、除霜運転においてバイパス配管（70）が閉状態となっている利用側ユニット（12）では、利用側熱交換器（51）に冷媒が溜まり込む可能性がある。
【００９７】
そのため、この実施形態による冷凍装置（10）では、コントローラ（80）は、複数の利用側ユニット（12）のうち利用側熱交換器（51）の除霜が完了していない利用側ユニット（12）においてバイパス配管（70）が開状態に維持されるように切換機構（54）を制御する一方で、利用側熱交換器（51）の除霜が完了している利用側ユニット（12）においてバイパス配管（70）が間欠的に開状態となるように切換機構（54）を制御する。例えば、コントローラ（80）は、利用側熱交換器（51）の除霜が完了しているとみなした利用側ユニット（12）において、バイパス配管（70）を開状態から閉状態に切り換えた後に予め定められた閉鎖期間（例えば１０分間）が経過すると、そのバイパス配管（70）を閉状態から開状態に切り換え、その後、予め定められた開通時間（例えば２分間）が経過すると、そのバイパス配管を開状態から閉状態に切り換える。
【００９８】
そして、コントローラ（80）は、全ての利用側ユニット（12）において利用側熱交換器（51）の除霜が完了すると、除霜運転が終了して冷却運転が再開されるように冷凍装置（10）の各部を制御する。なお、コントローラ（80）は、除霜運転を開始した後に予め定められた時間（除霜運転時間）が経過すると、除霜運転が終了して冷却運転が再開されるように冷凍装置（10）の各部を制御してもよい。除霜運転時間は、閉鎖時間や開通時間よりも十分に長い時間（例えば３０分間）に設定されている。
【００９９】
〈実施形態による効果〉
以上のように、切換機構（54）を制御して主配管（60）を開状態することにより、感温式の利用側膨張弁（53）を経由して液側連絡配管（13）と利用側熱交換器（51）との間に冷媒を流すことができる。また、切換機構（54）を制御してバイパス配管（70）を開状態することにより、感温式の利用側膨張弁（53）を迂回して液側連絡配管（13）と利用側熱交換器（51）との間に冷媒を流すことができる。すなわち、利用側膨張弁（53）を経由して冷媒を流すことができない場合であっても、バイパス配管（70）を開状態に設定することによって液側連絡配管（13）と利用側熱交換器（51）との間に冷媒を流すことができる。これにより、感温式の利用側膨張弁（53）を有する利用側ユニット（12）において液側連絡配管（13）と利用側熱交換器（51）との間に冷媒を任意に流すことができる。
【０１００】
また、バイパス配管（70）にバイパス開閉弁（71）を設けることにより、バイパス開閉弁（71）を開状態に設定してバイパス配管（70）を開状態に設定することができ、バイパス開閉弁（71）を閉状態に設定してバイパス配管（70）を閉状態にすることができる。このように、バイパス開閉弁（71）の開閉を切り換えることによってバイパス配管（70）の開閉を切り換えることができる。
【０１０１】
また、バイパス配管（70）にバイパス逆止弁（72）を設けることにより、バイパス配管（70）において液側連絡配管（13）側から利用側熱交換器（51）側への冷媒の流れを阻止することができる。これにより、液側連絡配管（13）から開状態の主配管（60）を経由して利用側熱交換器（51）に冷媒を流す場合（具体的には、冷却運転の場合）に、バイパス配管（70）を経由した冷媒の漏れ（すなわち、液側連絡配管（13）からバイパス配管（70）を経由して利用側熱交換器（51）に冷媒が流れてしまうこと）を防止することができる。その結果、液側連絡配管（13）から開状態の主配管（60）を経由して利用側熱交換器（51）に冷媒を流す場合（具体的には、冷却運転の場合）に、主配管（60）を流れる冷媒の流量を確保することができる。
【０１０２】
また、主配管（60）に利用側開閉弁（61）を設けることにより、利用側開閉弁（61）を開状態に設定して主配管（60）を開状態に設定することができ、利用側開閉弁（61）を閉状態に設定して主配管（60）を閉状態にすることができる。このように、利用側開閉弁（61）の開閉を切り換えることによって主配管（60）の開閉を切り換えることができる。
【０１０３】
また、主配管（60）に利用側逆止弁（62）を設けることにより、主配管（60）において利用側熱交換器（51）側から液側連絡配管（13）側への冷媒の流れを阻止することができる。これにより、利用側熱交換器（51）から開状態のバイパス配管（70）を経由して液側連絡配管（13）に冷媒を流す場合（具体的には、除霜運転の場合）に、主配管（60）を経由した冷媒の漏れ（すなわち、利用側熱交換器（51）から主配管（60）を経由して液側連絡配管（13）に冷媒が流れてしまうこと）を防止することができる。その結果、利用側熱交換器（51）から開状態のバイパス配管（70）を経由して液側連絡配管（13）に冷媒を流す場合（具体的には、除霜運転の場合）に、バイパス配管（70）を流れる冷媒の流量を確保することができる。
【０１０４】
また、除霜運転を開始する場合に主配管（60）を閉状態にしてバイパス配管（70）を開状態にすることにより、ガス側連絡配管（14）から利用側熱交換器（51）とバイパス配管（70）とを順に経由して液側連絡配管（13）に至る冷媒の流路を確保することができる。これにより、ガス側連絡配管（14）から利用側熱交換器（51）に冷媒（高温高圧の冷媒）を供給することができるので、高温高圧の冷媒を用いて利用側熱交換器（51）の除霜を行うことができる。
【０１０５】
また、利用側熱交換器（51）の除霜が完了した利用側ユニット（12）においてバイパス配管（70）を開状態から閉状態に切り換えることにより、利用側熱交換器（51）の除霜が完了した利用側ユニット（12）においてガス側連絡配管（14）から利用側熱交換器（51）への冷媒（高温高圧の冷媒）の供給を阻止することができる。これにより、利用側熱交換器（51）の除霜が完了していない利用側ユニット（12）においてガス側連絡配管（14）から利用側熱交換器（51）への冷媒（高温高圧の冷媒）の供給を促進させることができるので、利用側熱交換器（51）の除霜が完了していない利用側ユニット（12）において利用側熱交換器（51）の除霜を促進させることができる。具体的には、利用側熱交換器（51）の除霜が完了していない利用側ユニット（12）において利用側熱交換器（51）の除霜に要する時間を短縮することができる。
【０１０６】
また、利用側熱交換器（51）の除霜が完了している利用側ユニット（12）においてバイパス配管（70）を間欠的に開状態にすることにより、利用側熱交換器（51）の除霜が完了している利用側ユニット（12）において利用側熱交換器（51）内の冷媒をバイパス配管（70）を経由して液側連絡配管（13）に間欠的に放出することができる。これにより、利用側熱交換器（51）の除霜が完了している利用側ユニット（12）において利用側熱交換器（51）内に冷媒が溜まり込むことを防止することができる。
【０１０７】
また、感温筒（53a）の温度に応じて開度が自動的に調節される感温式膨張弁を用いて利用側膨張弁（53）を構成することにより、コントローラ（80）の制御によって開度が調節される電子膨張弁を用いて利用側膨張弁（53）を構成する場合に必要となる設備（制御線など）や制約を省略することができる。
【０１０８】
（利用側ユニットの変形例）
図４に示すように、利用側ユニット（12）において、切換機構（54）は、利用側膨張弁（53）の均圧管（53b）を利用側ガス冷媒配管（57）の中途部に接続する第１接続状態と、利用側膨張弁（53）の均圧管（53b）を主配管（60）における利用側膨張弁（53）と液側連絡配管（13）との間の中途部に接続する第２接続状態とに切り換え可能に構成されていてもよい。
【０１０９】
図４では、切換機構（54）は、図１に示した利用側開閉弁（61）に代えて三方弁（63）を有している。三方弁（63）は、第１ポートが利用側膨張弁（53）の均圧管（53b）に接続され、第２ポートが利用側ガス冷媒配管（57）の中途部（具体的には、感温筒（53a）の取り付け位置とガス側連絡配管（14）との間に位置する中途部）に接続され、第３ポートが主配管（60）の中途部（具体的には、液側連絡配管（13）と利用側膨張弁（53）との間に位置する中途部）に接続されている。そして、三方弁（63）は、第１ポートと第２ポートとが連通する第１状態と、第１ポートと第３ポートとが連通する第２状態とに切り換え可能に構成されている。
【０１１０】
三方弁（63）が第１状態（第１ポートと第２ポートとが連通する状態）に設定されることにより、切換機構（54）が第１接続状態（利用側膨張弁（53）の均圧管（53b）を利用側ガス冷媒配管（57）の中途部に接続する状態）となる。一方、三方弁（63）が第２状態（第１ポートと第３ポートとが連通する状態）に設定されることにより、切換機構（54）が第２接続状態（利用側膨張弁（53）の均圧管（53b）を主配管（60）における利用側膨張弁（53）と液側連絡配管（13）との間の中途部に接続する状態）となる。
【０１１１】
また、この例では、利用側膨張弁（53）は、外部均圧形温度自動膨張弁によって構成されている。具体的には、利用側膨張弁（53）は、感温筒（53a）内の冷媒圧力が均圧管（53b）内の冷媒圧力と所定の抵抗力（例えば、利用側膨張弁（53）の内部に設けられたニードル弁をダイアフラム側に付勢するスプリングの付勢力）との合計を上回る場合に開状態となり、感温筒（53a）内の冷媒圧力が均圧管（53b）内の冷媒圧力と抵抗力との合計値を下回る場合に閉状態となるように構成されている。なお、抵抗力は、冷却運転において利用側膨張弁（53）の均圧管（53b）が利用側ガス冷媒配管（57）の中途部に接続された場合に利用側膨張弁（53）の感温筒（53a）内の冷媒圧力（低圧）が均圧管（53b）内の冷媒圧力（低圧）と抵抗力との合計を上回るように（すなわち、利用側膨張弁（53）が開状態となるように）設定されている。
【０１１２】
〈冷却運転〉
図５に示すように、図４に示した利用側ユニット（12）を備えた冷凍装置（10）の冷却運転では、バイパス開閉弁（71）が閉状態に設定されてバイパス配管（70）が閉状態となる。そして、庫内の冷却の要否に応じて三方弁（63）が第１状態または第２状態に設定される。具体的には、コントローラ（80）は、庫内の冷却が必要である場合（例えば、庫内空気の温度が予め定められた目標冷却温度を上回る場合）に、三方弁（63）を第１状態（第１ポートと第２ポートとが連通する状態）に設定し、庫内の冷却が不要である場合（例えば、庫内空気の温度が予め定められた目標冷却温度を上回らない場合）に、三方弁（63）を第２状態（第１ポートと第３ポートとが連通する状態）に設定する。なお、図５の例では、三方弁（63）が第１状態に設定されて利用側膨張弁（53）の均圧管（53b）が利用側ガス冷媒配管（57）の中途部に接続されている。その他の制御は、図１に示した冷凍装置（10）の制御と同様となっている。
【０１１３】
冷却運転において三方弁（63）が第１状態に設定されると、利用側膨張弁（53）の均圧管（53b）が利用側ガス冷媒配管（57）の中途部に接続される。冷却運転では、利用側ガス冷媒配管（57）内の冷媒が低温低圧となっている。したがって、感温筒（53a）内の冷媒圧力（低圧）が均圧管（53b）内の冷媒圧力（低圧）と抵抗力との合計を上回るので、利用側膨張弁（53）が開状態に設定される。そして、感温筒（53a）の温度と均圧管（53b）の冷媒圧力とに応じて利用側膨張弁（53）の開度が調節される。
【０１１４】
一方、冷却運転において三方弁（63）が第２状態に設定されると、利用側膨張弁（53）の均圧管（53b）が主配管（60）における利用側膨張弁（53）と液側連絡配管（13）との間の中途部に接続される。冷却運転では、主配管（60）における利用側膨張弁（53）と液側連絡配管（13）との間の配管部における冷媒が高温高圧となっており、利用側ガス冷媒配管（57）内の冷媒が比較的に低温低圧となっている。したがって、感温筒（53a）内の冷媒圧力（低圧）が均圧管（53b）内の冷媒圧力（高圧）と抵抗力との合計を下回るので、利用側膨張弁（53）が閉状態に設定される。
【０１１５】
〈除霜運転〉
図６に示すように、図４に示した利用側ユニット（12）を備えた冷凍装置（10）の除霜運転では、三方弁（63）が第２状態（第１ポートと第３ポートとが連通する状態）に設定されて利用側膨張弁（53）の均圧管（53b）が主配管（60）における利用側膨張弁（53）と液側連絡配管（13）との間の中途部に接続される。これにより、利用側膨張弁（53）が閉状態となる。そして、利用側熱交換器（51）の除霜の状況に応じてバイパス開閉弁（71）が開状態または閉状態に設定されてバイパス配管（70）が開状態または閉状態となる。図６の例では、バイパス開閉弁（71）が開状態に設定されてバイパス配管（70）が開状態となっている。その他の制御は、図１に示した冷凍装置（10）の制御と同様となっている。
【０１１６】
除霜運転において三方弁（63）が第２状態に設定されると、利用側膨張弁（53）の均圧管（53b）が主配管（60）における利用側膨張弁（53）と液側連絡配管（13）との間の中途部に接続される。除霜運転では、利用側ガス冷媒配管（57）内の冷媒が高温高圧となっており、主配管（60）における利用側膨張弁（53）と液側連絡配管（13）との間の配管部における冷媒が高温高圧となっている。したがって、感温筒（53a）内の冷媒圧力（高圧）が均圧管（53b）内の冷媒圧力（高圧）と抵抗力との合計を上回るので、利用側膨張弁（53）が開状態に設定される。
【０１１７】
〈利用側ユニットの変形例による効果〉
以上のように、熱源側熱交換器（23）が凝縮器となり利用側熱交換器（51）が蒸発器となるように冷媒を循環させる冷却運転の場合（すなわち、液側連絡配管（13）から利用側熱交換器（51）を経由してガス側連絡配管（14）へ向けて冷媒を流そうとする場合）に、切換機構（54）を第１接続状態（利用側膨張弁（53）の均圧管（53b）を利用側ガス冷媒配管（57）の中途部に接続する状態）に設定することにより、利用側膨張弁（53）を開状態に設定して主配管（60）を開状態にすることができる。また、切換機構（54）を第２接続状態（利用側膨張弁（53）の均圧管（53b）を主配管（60）における利用側膨張弁（53）と液側連絡配管（13）との間の中途部に接続する状態）に設定することにより、利用側膨張弁（53）を閉状態に設定して主配管（60）を閉状態に設定することができる。このように、切換機構（54）の状態を切り換えることにより、主配管（60）の開閉を切り換えることができる。
【０１１８】
（その他の実施形態）
以上の説明では、利用側開閉弁（61）が電磁弁によって構成されている場合を例に挙げたが、利用側開閉弁（61）は、二方弁によって構成されていてもよい。この場合、利用側逆止弁（62）を省略してもよい。これと同様に、バイパス開閉弁（71）が電磁弁によって構成されている場合を例に挙げたが、バイパス開閉弁（71）は、二方弁によって構成されていてもよい。この場合、バイパス逆止弁（72）を省略してもよい。
【０１１９】
また、以上の説明では、冷凍装置（10）が２つの利用側ユニット（12）を備えている場合を例に挙げたが、利用側ユニット（12）の台数は、３台以上であってもよい。
【０１２０】
また、以上の説明では、冷媒回路（20）に２台の圧縮機（21a,21b）が設けられている場合を例に挙げたが、圧縮機の台数は、１台であってもよいし、３台以上であってもよい。
【０１２１】
また、以上の実施形態や変形例を適宜組み合わせて実施してもよい。以上の実施形態や変形例は、本質的に好ましい例示であって、この発明、その適用物、あるいはその用途の範囲を制限することを意図するものではない。
【産業上の利用可能性】
【０１２２】
以上説明したように、上述の冷凍装置は、庫内などを冷却する冷凍装置として有用である。
【符号の説明】
【０１２３】
１０          冷凍装置
１１          熱源側ユニット
１２          利用側ユニット
１３          液側連絡配管
１４          ガス側連絡配管
１５          冷媒回路
２１ａ        第１圧縮機
２１ｂ        第２圧縮機
２２          四方切換弁
２３          熱源側熱交換器
２４          過冷却熱交換器
５１          利用側熱交換器
５２          膨張弁回路部
５３          利用側膨張弁
５３ａ        感温筒
５３ｂ        均圧管
５４          切換機構
５６          利用側液冷媒配管
５７          利用側ガス冷媒配管
６０          主配管
６１          利用側開閉弁
６２          利用側逆止弁
６３          三方弁
７０          バイパス配管
７１          バイパス開閉弁
７２          バイパス逆止弁
８０          コントローラ
８１          冷媒温度センサ
【手続補正２】
【補正対象書類名】特許請求の範囲
【補正対象項目名】全文
【補正方法】変更
【補正の内容】
【特許請求の範囲】
【請求項１】
熱源側熱交換器（23）を有する熱源側ユニット（11）と、
それぞれが利用側熱交換器（51）と膨張弁回路部（52）とを有し、液側連絡配管（13）およびガス側連絡配管（14）を介して上記熱源側ユニット（11）とそれぞれ並列に接続されて冷媒が循環する冷媒回路（15）を構成する複数の利用側ユニット（12）とを備え、
上記膨張弁回路部（52）は、
感温式の利用側膨張弁（53）と、
上記利用側膨張弁（53）を経由して上記利用側熱交換器（51）と上記液側連絡配管（13）との間に冷媒を流すための主配管（60）と、
上記主配管（60）を迂回して上記利用側熱交換器（51）と上記液側連絡配管（13）との間に冷媒を流すためのバイパス配管（70）と、
上記主配管（60）の開閉および上記バイパス配管（70）の開閉を切り換える切換機構（54）とを有し、
上記複数の利用側ユニット（12）の各々は、上記利用側熱交換器（51）のガス端と上記ガス側連絡配管（14）とを接続する利用側ガス冷媒配管（57）を有し、
上記利用側膨張弁（53）は、上記利用側ガス冷媒配管（57）に取り付けられる感温筒（53a）と、均圧管（53b）とを有し、
上記切換機構（54）は、上記利用側膨張弁（53）の均圧管（53b）を上記利用側ガス冷媒配管（57）の中途部に接続する第１接続状態と、該利用側膨張弁（53）の均圧管（53b）を上記主配管（60）における該利用側膨張弁（53）と上記液側連絡配管（13）との間の中途部に接続する第２接続状態とに切り換え可能に構成されている
ことを特徴とする冷凍装置。
【請求項２】
請求項１において、
上記切換機構（54）は、開状態と閉状態とに切り換え可能に構成されて上記バイパス配管（70）に設けられるバイパス開閉弁（71）を有している
ことを特徴とする冷凍装置。
【請求項３】
請求項２において、
上記切換機構（54）は、上記バイパス配管（70）に設けられて上記利用側熱交換器（51）側から上記液側連絡配管（13）側へ向かう冷媒の流れのみを許容するバイパス逆止弁（72）を有している
ことを特徴とする冷凍装置。
【請求項４】
請求項１〜３のいずれか１項において、
上記切換機構（54）は、上記主配管（60）に設けられて上記液側連絡配管（13）側から上記利用側熱交換器（51）側へ向かう冷媒の流れのみを許容する利用側逆止弁（62）を有している
ことを特徴とする冷凍装置。
【請求項５】
請求項１〜４のいずれか１項において、
上記複数の利用側ユニット（12）の利用側熱交換器（51）が凝縮器となり上記熱源側熱交換器（23）が蒸発器となるように上記冷媒回路（15）において冷媒が循環する除霜運転が開始されると、該複数の利用側ユニット（12）の各々において上記主配管（60）が閉状態となり上記バイパス配管（70）が開状態となるように上記切換機構（54）を制御する制御部（80）を備えている
ことを特徴とする冷凍装置。
【請求項６】
請求項５において、
上記制御部（80）は、上記除霜運転の開始後に上記複数の利用側ユニット（12）のいずれかにおいて上記利用側熱交換器（51）の除霜が完了すると、該利用側熱交換器（51）の除霜が完了した利用側ユニット（12）において上記バイパス配管（70）が開状態から閉状態に切り換わるように上記切換機構（54）を制御する
ことを特徴とする冷凍装置。
【請求項７】
熱源側熱交換器（23）を有する熱源側ユニット（11）と、
それぞれが利用側熱交換器（51）と膨張弁回路部（52）とを有し、液側連絡配管（13）およびガス側連絡配管（14）を介して上記熱源側ユニット（11）とそれぞれ並列に接続されて冷媒が循環する冷媒回路（15）を構成する複数の利用側ユニット（12）と、
制御部（80）とを備え、
上記膨張弁回路部（52）は、
感温式の利用側膨張弁（53）と、
上記利用側膨張弁（53）を経由して上記利用側熱交換器（51）と上記液側連絡配管（13）との間に冷媒を流すための主配管（60）と、
上記主配管（60）を迂回して上記利用側熱交換器（51）と上記液側連絡配管（13）との間に冷媒を流すためのバイパス配管（70）と、
上記主配管（60）の開閉および上記バイパス配管（70）の開閉を切り換える切換機構（54）とを有し、
上記制御部（80）は、
上記複数の利用側ユニット（12）の利用側熱交換器（51）が凝縮器となり上記熱源側熱交換器（23）が蒸発器となるように上記冷媒回路（15）において冷媒が循環する除霜運転が開始されると、該複数の利用側ユニット（12）の各々において上記主配管（60）が閉状態となり上記バイパス配管（70）が開状態となるように上記切換機構（54）を制御し、
上記除霜運転の開始後に上記複数の利用側ユニット（12）のいずれかにおいて上記利用側熱交換器（51）の除霜が完了すると、該利用側熱交換器（51）の除霜が完了した利用側ユニット（12）において上記バイパス配管（70）が開状態から閉状態に切り換わるように上記切換機構（54）を制御する
ことを特徴とする冷凍装置。
【請求項８】
請求項６または７において、
上記制御部（80）は、上記複数の利用側ユニット（12）のうち上記利用側熱交換器（51）の除霜が完了していない利用側ユニット（12）において上記バイパス配管（70）が開状態に維持されるように上記切換機構（54）を制御する一方で、該利用側熱交換器（51）の除霜が完了している利用側ユニット（12）において該バイパス配管（70）が間欠的に開状態となるように該切換機構（54）を制御する
ことを特徴とする冷凍装置。